(57)【要約】  衣類処理設備用の制御方法及び衣類処理設備であって、制御方法は、衣類処理設備が乾燥モードとされる場合に、環境温度を検出するステップと、環境温度に基づいて乾燥モードのオフ温度を修正するステップと、修正したオフ温度に基づいて乾燥モードを選択的にオフにするステップとを含む。衣類処理設備は、外槽と、内槽と、環境温度センサと、外槽温度センサと、温度修正モジュールと、制御モジュールとを含み、制御モジュールは、修正したオフ温度に基づいて、検出された外槽の温度に応じて乾燥モードを選択的にオフにし、具体的な動作状態に応じて乾燥モードのオフ温度を修正でき、乾燥モードをオフにする制御を正確に行うことができる。【選択図】図１
2021520913.tif 000002
【特許請求の範囲】
【請求項１】
衣類処理設備用の制御方法であって、前記制御方法は、
前記衣類処理設備が乾燥モードとされる場合、環境温度を検出するステップと、
前記環境温度に基づいて前記乾燥モードのオフ温度を修正するステップと、
修正したオフ温度に基づいて前記乾燥モードを選択的にオフにするステップとを含む、ことを特徴とする衣類処理設備用の制御方法。
【請求項２】
「前記環境温度に基づいて前記乾燥モードのオフ温度を修正する」というステップは、具体的に、
前記環境温度とプリセット温度閾値とを比較することと、
前記環境温度と前記プリセット温度閾値との比較結果に基づいて前記オフ温度を修正することを含む、ことを特徴とする請求項1に記載の制御方法。
【請求項３】
「前記環境温度と前記プリセット温度閾値との比較結果に基づいて前記オフ温度を修正する」というステップは、具体的には、
下記式に従って前記オフ温度を修正することを含み、
Toff=a×T1+b
そのうち、Toffは前記オフ温度、T1は前記環境温度、aは第1の修正係数、bは第2の修正係数であり、また、
前記第1の修正係数aと前記第2の修正係数bの大きさは、前記環境温度T1の大きさに依存する、ことを特徴とする請求項2に記載の制御方法。
【請求項４】
前記プリセット温度閾値は、第1のプリセット温度閾値と、第2のプリセット温度閾値と、を含み、
そのうち、前記第1のプリセット温度閾値は前記第2のプリセット温度閾値より小さい、ことを特徴とする請求項3に記載の制御方法。 
【請求項５】
前記第1の修正係数a及び前記第2の修正係数bの大きさを、
前記環境温度T1が前記第1のプリセット温度閾値以下である場合に、前記オフ温度Toffは変化せず、
前記環境温度T1が前記第1のプリセット温度閾値を超えるとともに前記第2のプリセット温度閾値以下である場合に、前記オフ温度Toffは前記環境温度T1に比例し、
前記環境温度T1が前記第2のプリセット温度閾値を超える場合に、前記オフ温度Toffは変化しない、
という状況となるように設定する、ことを特徴とする請求項4に記載の制御方法。
【請求項６】
前記第1のプリセット温度閾値は10℃であり、
「前記環境温度と前記プリセット温度閾値との比較結果に基づいて前記オフ温度を修正する」というステップは、具体的に、
前記環境温度T1が前記第1のプリセット温度閾値以下である場合、前記オフ温度Toffに対応する第1の修正係数aと第2の修正係数bを、それぞれ0と70とすることを含む、ことを特徴とする請求項5に記載の制御方法。
【請求項７】
前記第1のプリセット温度閾値は10℃であり、前記第2のプリセット温度閾値は35℃であり、
「前記環境温度と前記プリセット温度閾値との比較結果に基づいて前記オフ温度を修正する」というステップは、具体的に、
前記環境温度T1が前記第1のプリセット温度閾値を超えるとともに前記第2のプリセット温度閾値以下である場合、前記オフ温度Toffに対応する第1の修正係数a及び第2の修正係数bを、それぞれ1、55とし、
前記環境温度T1が前記第2のプリセット温度閾値を超える場合、前記オフ温度Toffに対応する第1の修正係数a及び第2の修正係数bを、それぞれ0と80とすることを含む、ことを特徴とする請求項5に記載の制御方法。
【請求項８】
前記衣類処理設備は、外槽と内槽とを含み、
「修正したオフ温度に基づいて前記乾燥モードを選択的にオフにする」というステップは、具体的に、
前記外槽の温度を検出することと、
検出された前記外槽の温度と修正したオフ温度とを比較することと、
検出された前記外槽の温度が修正したオフ温度以上である場合に、前記衣類処理設備が乾燥モードをオフにするように制御することを含む、ことを特徴とする請求項1〜7のいずれ一項に記載の制御方法。
【請求項９】
「修正したオフ温度に基づいて前記乾燥モードを選択的にオフにする」というステップは、具体的に、
検出された前記外槽の温度が修正したオフ温度未満である場合、前記衣類処理設備が乾燥モードを維持するように制御することを含む、ことを特徴とする請求項8に記載の制御方法。
【請求項１０】
外槽と内槽とを含む衣類処理設備であって、前記衣類処理設備は、
環境温度を検出するための環境温度センサと、
前記外槽の温度を検出するための外槽温度センサと、
前記環境温度センサにより検出された環境温度に基づいて、前記衣類処理設備の乾燥モードのオフ温度を修正するための温度修正モジュールと、
修正したオフ温度に基づいて、検出された前記外槽の温度に応じて前記乾燥モードを選択的にオフにする制御モジュールとを更に含む、ことを特徴とする衣類処理設備。
【請求項１１】
凝縮モジュールを含む衣類処理設備用の制御方法であって、前記制御方法は、
前記衣類処理設備が乾燥モードとされる場合、環境温度並びに前記凝縮モジュールの冷却水温度を検出するステップと、
前記環境温度並びに前記冷却水温度に基づいて前記乾燥モードのオフ温度を修正するステップと、
修正したオフ温度に基づいて前記乾燥モードを選択的にオフにするステップとを含む、ことを特徴とする衣類処理設備用の制御方法。
【請求項１２】
「前記環境温度並びに前記冷却水温度に基づいて前記乾燥モードのオフ温度を修正する」というステップは、具体的に、
前記環境温度並びに前記冷却水温度とプリセット温度閾値とを比較することと、
前記環境温度並びに前記冷却水温度と前記プリセット温度閾値との比較結果に基づいて前記オフ温度を修正することを含む、ことを特徴とする請求項11に記載の制御方法。
【請求項１３】
「前記環境温度並びに前記冷却水温度と前記プリセット温度閾値との比較結果に基づいて前記オフ温度を修正する」というステップは、具体的に、
下記式に従って前記オフ温度を修正することを含み、
Toff=a×T1+b×T2+c×T1×T2+d
そのうち、Toffは前記オフ温度、T1は前記環境温度、T2は前記冷却水温度、aは第1の修正係数、bは第2の修正係数、cは第3の修正係数、dは第4の修正係数であり、また、
前記第1の修正係数a、前記第2の修正係数b、前記第3の修正係数c及び前記第4の修正係数dの大きさは、前記環境温度T1と前記冷却水温度T2の大きさに依存する、ことを特徴とする請求項12に記載の制御方法。
【請求項１４】
前記プリセット温度閾値は、第1のプリセット環境温度閾値と、第2のプリセット環境温度閾値と、第1のプリセット冷却水温度閾値と、第2のプリセット冷却水温度閾値とを含み、
そのうち、前記第1のプリセット環境温度閾値は、前記第2のプリセット環境温度閾値より小さく、前記第1のプリセット冷却水温度閾値は、前記第2のプリセット冷却水温度閾値より小さい、ことを特徴とする請求項13に記載の制御方法。
【請求項１５】
前記第1の修正係数a、前記第2の修正係数b、前記第3の修正係数cと前記第4の修正係数dの大きさを、
前記環境温度T1が前記第1のプリセット環境温度閾値以下であるとともに前記冷却水温度T2が前記第1のプリセット冷却水温度閾値以下である場合に、前記オフ温度Toffは変化せず、
前記環境温度T1が前記第1のプリセット環境温度閾値以下であるとともに前記冷却水温度T2が前記第1のプリセット冷却水温度閾値を超える場合に、前記オフ温度Toffは、前記環境温度T1と前記冷却水温度T2とに比例し、
前記環境温度T1が前記第1のプリセット環境温度閾値を超えるとともに前記第2のプリセット環境温度閾値以下である場合に、前記オフ温度Toffは、前記環境温度T1と前記冷却水温度T2とに比例し、
前記環境温度T1が前記第2のプリセット環境温度閾値を超えるとともに前記冷却水温度T2が前記第2のプリセット冷却水温度閾値以下である場合に、前記オフ温度Toffは、前記環境温度T1と前記冷却水温度T2とに比例し、
前記環境温度T1が前記第2のプリセット環境温度閾値を超えるとともに前記冷却水温度T2が前記第2のプリセット冷却水温度閾値を超える場合に、前記オフ温度Toffは変化しない、
という状況となるように設定する、ことを特徴とする請求項14に記載の制御方法。
【請求項１６】
前記第1のプリセット環境温度閾値は10℃であり、前記第1のプリセット冷却水温度閾値は10℃であり、前記第2のプリセット冷却水温度閾値は35℃であり、
「前記環境温度並びに前記冷却水温度と前記プリセット温度閾値との比較結果に基づいて前記オフ温度を修正する」というステップは、具体的に、
前記環境温度T1が前記第1のプリセット環境温度閾値以下であるとともに前記冷却水温度T2が前記第1のプリセット冷却水温度閾値以下である場合、前記オフ温度Toffに対応する第1の修正係数a、第2の修正係数b、第3の修正係数c及び第4の修正係数dをそれぞれ0、0、0、70とし、
前記環境温度T1が前記第1のプリセット環境温度閾値以下であるとともに前記冷却水温度T2が前記第1のプリセット冷却水温度閾値を超え且つ前記第2のプリセット冷却水温度閾値以下である場合に、前記オフ温度Toffに対応する第1の修正係数a、第2の修正係数b、第3の修正係数c及び第4の修正係数dを、それぞれ0.2、0.2、0、66とし、
前記環境温度T1が前記第1のプリセット環境温度閾値以下であるとともに前記冷却水温度T2が前記第2のプリセット冷却水温度閾値を超える場合に、前記オフ温度Toffに対応する第1の修正係数a、第2の修正係数b、第3の修正係数c及び第4の修正係数dを、それぞれ0.1、0.3、0、66とすることを含む、ことを特徴とする請求項15に記載の制御方法。
【請求項１７】
前記第1のプリセット環境温度閾値は10℃であり、前記第2のプリセット環境温度閾値は35℃であり、前記第1のプリセット冷却水温度閾値は10℃であり、前記第2のプリセット冷却水温度閾値は35℃であり、
「前記環境温度並びに前記冷却水温度と前記プリセット温度閾値との比較結果に基づいて前記オフ温度を修正する」というステップは、具体的に、
前記環境温度T1が前記第1のプリセット環境温度閾値を超え且つ前記第2のプリセット環境温度閾値以下であるとともに前記冷却水温度T2が前記第1のプリセット冷却水温度閾値以下である場合に、前記オフ温度Toffに対応する第1の修正係数a、第2の修正係数b、第3の修正係数c及び第4の修正係数dを、それぞれ0.3、0.1、0、66とし、
前記環境温度T1が前記第1のプリセット環境温度閾値を超え且つ前記第2のプリセット環境温度閾値以下であるとともに前記冷却水温度T2が前記第1のプリセット冷却水温度閾値を超え且つ前記第2のプリセット冷却水温度閾値以下である場合に、前記オフ温度Toffに対応する第1の修正係数a、第2の修正係数b、第3の修正係数c及び第4の修正係数dを、それぞれ0.3、0.3、0、63とし、
前記環境温度T1が前記第1のプリセット環境温度閾値を超え且つ前記第2のプリセット環境温度閾値以下であるとともに前記冷却水温度T2が前記第2のプリセット冷却水温度閾値を超える場合に、前記オフ温度Toffに対応する第1の修正係数a、第2の修正係数b、第3の修正係数c及び第4の修正係数dを、それぞれ0.4、0.2、0、66とすることを含む、ことを特徴とする請求項15に記載の制御方法。
【請求項１８】
前記第1のプリセット環境温度閾値は35℃であり、前記第1のプリセット冷却水温度閾値は10℃であり、前記第2のプリセット冷却水温度閾値は35℃であり、
「前記環境温度並びに前記冷却水温度と前記プリセット温度閾値との比較結果に基づいて前記オフ温度を修正する」というステップは、具体的に、
前記環境温度T1が前記第2のプリセット環境温度閾値を超えるとともに前記冷却水温度T2が前記第1のプリセット冷却水温度閾値以下である場合に、前記オフ温度Toffに対応する第1の修正係数a、第2の修正係数b、第3の修正係数c及び第4の修正係数dを、それぞれ0.3、0.1、0、66とし、
前記環境温度T1が前記第2のプリセット環境温度閾値を超えるとともに前記冷却水温度T2が前記第1のプリセット冷却水温度閾値を超え且つ前記第2のプリセット冷却水温度閾値以下である場合に、前記オフ温度Toffに対応する第1の修正係数a、第2の修正係数b、第3の修正係数c及び第4の修正係数dを、それぞれ0.4、0.2、0、64とし、
前記環境温度T1が前記第2のプリセット環境温度閾値を超えるとともに前記冷却水温度T2が前記第2のプリセット冷却水温度閾値を超える場合に、前記オフ温度Toffに対応する第1の修正係数a、第2の修正係数b、第3の修正係数c及び第4の修正係数dを、それぞれ0、0、0、85とすることを含む、ことを特徴とする請求項15に記載の制御方法。
【請求項１９】
前記衣類処理設備は、外槽と内槽とを含み、
「修正したオフ温度に基づいて前記乾燥モードを選択的にオフにする」というステップは、具体的に、
前記外槽の温度を検出することと、
検出された前記外槽の温度と修正したオフ温度とを比較することと、
検出された前記外槽の温度が修正したオフ温度以上である場合に、前記衣類処理設備が乾燥モードをオフにするように制御することと、
検出された前記外槽の温度が修正したオフ温度未満である場合に、前記衣類処理設備が乾燥モードを維持するように制御することを含む、ことを特徴とする請求項11〜18のいずれ一項に記載の制御方法。
【請求項２０】
外槽と、内槽と、凝縮モジュールとを含む衣類処理設備であって、前記衣類処理設備は、
環境温度を検出するための環境温度センサと、
前記凝縮モジュールの冷却水温度を検出するための水温センサと、
前記外槽の温度を検出するための外槽温度センサと、
前記温度検出モジュールにより検出された環境温度及び冷却水温度に基づいて、前記衣類処理設備の乾燥モードのオフ温度を修正するための温度修正モジュールと、
修正したオフ温度に基づいて、検出された前記外槽の温度に応じて前記乾燥モードを選択的にオフにする制御モジュールとを更に含む、ことを特徴とする衣類処理設備。
【請求項２１】
凝縮モジュールを含む衣類処理設備用の制御方法であって、前記制御方法は、
前記衣類処理設備が乾燥モードとされる場合、前記凝縮モジュールの冷却水温度を検出するステップと、
前記冷却水温度に基づいて前記乾燥モードのオフ温度を修正するステップと、
修正したオフ温度に基づいて前記乾燥モードを選択的にオフにするステップとを含む、ことを特徴とする衣類処理設備用の制御方法。
【請求項２２】
「前記冷却水温度に基づいて前記乾燥モードのオフ温度を修正する」というステップは、具体的に、
前記冷却水温度とプリセット温度閾値とを比較することと、
前記冷却水温度と前記プリセット温度閾値との比較結果に基づいて前記オフ温度を修正することを含む、ことを特徴とする請求項21に記載の制御方法。
【請求項２３】
「前記冷却水温度と前記プリセット温度閾値との比較結果に基づいて前記オフ温度を修正する」というステップは、具体的に、
下記式に従って前記オフ温度を修正することを含み、
Toff=a×T1+b
そのうち、Toffは前記オフ温度、T1は前記冷却水温度、aは第1の修正係数、bは第2の修正係数であり、また、
前記第1の修正係数aと前記第2の修正係数bの大きさは、前記冷却水温度T1の大きさに依存する、ことを特徴とする請求項22に記載の制御方法。
【請求項２４】
前記プリセット温度閾値は、第1のプリセット温度閾値と第2のプリセット温度閾値を含み、
そのうち、前記第1のプリセット温度閾値は前記第2のプリセット温度閾値より小さい、ことを特徴とする請求項23に記載の制御方法。
【請求項２５】
前記第1の修正係数a及び前記第2の修正係数bの大きさを、
前記冷却水温度T1が前記第1のプリセット温度閾値以下である場合に、前記オフ温度Toffは変化せず、
前記冷却水温度T1が前記第1のプリセット温度閾値を超えるとともに前記第2のプリセット温度閾値以下である場合に、前記オフ温度Toffは前記冷却水温度T1に比例し、
前記冷却水温度T1が前記第2のプリセット温度閾値を超える場合に、前記オフ温度Toffは変化しない、という状況となるように設置する、ことを特徴とする請求項24に記載の制御方法。
【請求項２６】
前記第1のプリセット温度閾値は10℃であり、
「前記冷却水温度と前記プリセット温度閾値との比較結果に基づいて前記オフ温度を修正する」というステップは、具体的に、
前記冷却水温度T1が前記第1のプリセット温度閾値以下である場合、前記オフ温度Toffに対応する第1の修正係数aと第2の修正係数bを、それぞれ0、70とすることを含む、ことを特徴とする請求項25に記載の制御方法。
【請求項２７】
前記第1のプリセット温度閾値は10℃であり、前記第2のプリセット温度閾値は35℃であり、
「前記冷却水温度と前記プリセット温度閾値との比較結果に基づいて前記オフ温度を修正する」というステップは、具体的に、
前記冷却水温度T1が前記第1のプリセット温度閾値を超えるとともに前記第2のプリセット温度閾値以下である場合、前記オフ温度Toffに対応する第1の修正係数a及び第2の修正係数bを、それぞれ0.4、66とし、
前記冷却水温度T1が前記第2のプリセット温度閾値を超える場合、前記オフ温度Toffに対応する第1の修正係数aと第2の修正係数bを、それぞれ0、80とすることを含む、ことを特徴とする請求項25に記載の制御方法。
【請求項２８】
前記衣類処理設備は、外槽と内槽とを含み、
「修正したオフ温度に基づいて前記乾燥モードを選択的にオフにする」というステップは、具体的に、
前記外槽の温度を検出することと、
検出された前記外槽の温度と修正したオフ温度とを比較することと、
検出された前記外槽の温度が修正したオフ温度以上である場合に、前記衣類処理設備が乾燥モードをオフにするように制御することを含む、ことを特徴とする請求項21〜27のいずれ一項に記載の制御方法。
【請求項２９】
「修正したオフ温度に基づいて前記乾燥モードを選択的にオフにする」というステップは、具体的に、
検出された前記外槽の温度が修正したオフ温度未満である場合、前記衣類処理設備が乾燥モードを維持するように制御することを含む、ことを特徴とする請求項28に記載の制御方法。
【請求項３０】
外槽と、内槽と、凝縮モジュールとを含む衣類処理設備であって、前記衣類処理設備は、
前記凝縮モジュールの冷却水温度を検出するための水温センサと、
前記外槽の温度を検出するための外槽温度センサと、
前記水温センサにより検出された冷却水温度に基づいて、前記衣類処理設備の乾燥モードのオフ温度を修正するための温度修正モジュールと、
修正したオフ温度に基づいて、検出された前記外槽の温度に応じて前記乾燥モードを選択的にオフにする制御モジュールとを更に含む、ことを特徴とする衣類処理設備。
【発明の詳細な説明】
【技術分野】
【０００１】
本発明は、衣類処理設備の技術分野に関するものであり、具体的には、衣類処理設備用の制御方法及び衣類処理設備を提供するものである。
【背景技術】
【０００２】
科学技術の進歩に伴い、人間生活の自動化レベルはますます高まり、日常の家事労働において、機械が次第に人力に取って代わる。衣類処理設備は、日常生活に常用される家電機器として、人々の生活に極めて大きな利便性を与える。衣類処理設備は、主に、衣類洗濯設備と、衣類乾燥設備と、一体型洗濯乾燥設備と、を含み、洗濯方式に従って分類されると、一体型洗濯乾燥設備は、乾燥機能を有する一体型洗濯乾燥機と、乾燥機能を有するドラム洗濯機とに大別される。従来技術において、ドラム洗濯機では、乾燥システムの乾燥モードによって空気が加熱され、加熱された空気を送風機で洗濯槽内に送り込むことで、熱風により洗濯槽内の衣類に作用して洗濯槽内の衣類が携帯する水分を高温高湿の蒸気となるように蒸発させて、高温高湿の蒸気が熱交換器に吸い込まれて、熱交換器で冷媒と熱交換、凝縮して凝縮水となり、凝縮水が熱交換器の内壁に沿って流出する。この過程で、乾燥システムは外部環境と熱交換し、外部環境の温度が高いほど、乾燥システムと外部環境との交換熱量が相対的に少なくなり、乾燥システム内に多くの熱が入り込んで、乾燥システムの凝縮能力が加熱能力に対して弱くなることにより、乾燥システムの乾燥モードを自動的に終了させる判定精度が低下し、ひいては衣類がまだ乾燥していないのに乾燥モードが早期に終了してしまう場合もあり、ユーザの使用体験に大きく影響する。
【０００３】
上記課題を解決するために、従来技術では、外槽に外槽温度を検出するための温度センサを設けて、検出された外槽温度とオフ温度との比較結果に基づいて乾燥モードのオフを制御する。しかしながら、従来の制御方法は、環境温度がオフ温度に与える影響を考慮していなく、乾燥モードが実行する過程において、環境温度が風路と水路との熱交換の効果に影響して乾燥モードのオフ温度に影響を与え、乾燥モードをオフにする必要があるかどうかを正確に判定できず、ユーザの使用体験に大きく影響する。
【０００４】
従って、上述課題を解決するために、当分野では、新規の衣類処理設備用の制御方法及び衣類処理設備が必要とされている。
【発明の概要】
【０００５】
従来技術における上記課題を解決するために、即ち、従来の衣類処理設備では、乾燥モードをオフにする必要があるか否かを正確に判定できないという問題を解決するために、本発明の技術案1は、衣類処理設備用の制御方法を提供しており、制御方法は、衣類処理設備が乾燥モードとされる場合、環境温度を検出するステップと、環境温度に基づいて乾燥モードのオフ温度を修正するステップと、修正したオフ温度に基づいて乾燥モードを選択的にオフにするステップと、を含む。
【０００６】
上記制御方法の好ましい態様において、「環境温度に基づいて乾燥モードのオフ温度を修正する」というステップは、具体的に、環境温度とプリセット温度閾値とを比較することと、環境温度とプリセット温度閾値との比較結果に基づいてオフ温度を修正することを含む。
【０００７】
上記制御方法の好ましい態様において、「環境温度とプリセット温度閾値との比較結果に基づいてオフ温度を修正する」というステップは、具体的には、式Toff=a×T1+bに従ってオフ温度を修正することを含み、そのうち、Toffはオフ温度、T1は環境温度、aは第1の修正係数、bは第2の修正係数であり、また、第1の修正係数aと第2の修正係数bの大きさは、環境温度T1の大きさに依存する。
【０００８】
上記制御方法の好ましい態様において、プリセット温度閾値は、第1のプリセット温度閾値と第2のプリセット温度閾値を含み、そのうち、第1のプリセット温度閾値は、第2のプリセット温度閾値より小さい。
【０００９】
上記制御方法の好ましい態様において、第1の修正係数a及び第2の修正係数bの大きさを、環境温度T1が第1のプリセット温度閾値以下である場合に、オフ温度Toffは変化しない；環境温度T1が第1のプリセット温度閾値を超えるとともに第2のプリセット温度閾値以下である場合に、オフ温度Toffは環境温度T1に比例する；環境温度T1が第2のプリセット温度閾値を超える場合に、オフ温度Toffは変化しない、という状況となるように設定する。
【００１０】
上記制御方法の好ましい態様では、第1のプリセット温度閾値は10℃であり、「環境温度とプリセット温度閾値との比較結果に基づいてオフ温度を修正する」というステップは、具体的に、環境温度T1が第1のプリセット温度閾値以下である場合、オフ温度Toffに対応する第1の修正係数aと第2の修正係数bを、それぞれ0と70とすることを含む。
【００１１】
上記制御方法の好ましい態様では、第1のプリセット温度閾値は10℃であり、第2のプリセット温度閾値は35℃であり、「環境温度とプリセット温度閾値との比較結果に基づいてオフ温度を修正する」というステップは、具体的に、環境温度T1が第1のプリセット温度閾値を超えるとともに第2のプリセット温度閾値以下である場合、オフ温度Toffに対応する第1の修正係数a及び第2の修正係数bを、それぞれ1、55とし、環境温度T1が第2のプリセット温度閾値を超える場合、オフ温度Toffに対応する第1の修正係数a及び第2の修正係数bを、それぞれ0と80とすることを含む。
【００１２】
上記制御方法の好ましい態様において、衣類処理設備は、外槽と内槽とを含み、「修正したオフ温度に基づいて乾燥モードを選択的にオフにする」というステップは、具体的に、外槽の温度を検出することと、検出された外槽の温度と修正したオフ温度とを比較することと、検出された外槽の温度が修正したオフ温度以上である場合に、衣類処理設備が乾燥モードをオフにするように制御することを含む。
【００１３】
上記制御方法の好ましい態様において、「修正したオフ温度に基づいて乾燥モードを選択的にオフにする」というステップは、具体的には、検出された外槽の温度が修正したオフ温度未満である場合、衣類処理設備が乾燥モードを維持するように制御することを含む。
【００１４】
また、本発明の技術案1は、外槽と内槽とを含む衣類処理設備を更に提供しており、衣類処理設備は、環境温度を検出するための環境温度センサと、外槽の温度を検出するための外槽温度センサと、環境温度センサにより検出された環境温度に基づいて、衣類処理設備の乾燥モードのオフ温度を修正するための温度修正モジュールと、修正したオフ温度に基づいて、検出された外槽の温度に応じて乾燥モードを選択的にオフにする制御モジュールとを更に含む。
【００１５】
当業者が理解出来ることは、本発明の制御方法の好ましい態様において、一体型洗濯乾燥機が乾燥モードとされる場合に、環境温度を検出し、環境温度に基づいて乾燥モードのオフ温度を修正し、修正したオフ温度に基づいて乾燥モードを選択的にオフにする。従来のような設定済みの規定値であるオフ温度により直接に乾燥モードのオフを制御する技術案と比べると、本発明は、乾燥モードをオフにする制御の過程中、検出された環境温度によって乾燥モードのオフ温度を修正することで、環境温度による乾燥モードのオフ温度への影響を低減し、乾燥モードのオフ温度を正確に判定することができ、乾燥モードをオフにする制御を正確に行い、衣類の乾燥がまだ出来ていないのに乾燥モードが早期に終了することを回避でき、一体型洗濯乾燥機の乾燥効果を高めてユーザの使用体験も向上させる。
【００１６】
さらに、環境温度とプリセット温度閾値とを比較し、環境温度とプリセット温度閾値との比較結果に基づいてオフ温度を修正し、且つ、式Toff=a×T1+bに従ってオフ温度を修正し、そのうち、第1の修正係数aと第2の修正係数bの大きさが環境温度T1の大きさに依存することで、乾燥モードのオフ温度を正確に修正することができ、乾燥モードをオフにする制御を正確に行い、衣類の乾燥がまだ出来ていないのに乾燥モードが早期に終了することを回避でき、一体型洗濯乾燥機の乾燥効果を高めてユーザの使用体験も向上させる。
【００１７】
本発明の技術案2は、凝縮モジュールを含む衣類処理設備用の制御方法を提供しており、制御方法は、衣類処理設備が乾燥モードとされる場合、環境温度並びに凝縮モジュールの冷却水温度を検出するステップと、環境温度並びに冷却水温度に基づいて乾燥モードのオフ温度を修正するステップと、修正したオフ温度に基づいて乾燥モードを選択的にオフにするステップとを含む。
【００１８】
上記制御方法の好ましい態様において、「環境温度並びに冷却水温度に基づいて乾燥モードのオフ温度を修正する」というステップは、具体的に、環境温度並びに冷却水温度とプリセット温度閾値とを比較することと、環境温度並びに冷却水温度とプリセット温度閾値との比較結果に基づいてオフ温度を修正することを含む。
【００１９】
上記制御方法の好ましい態様において、「環境温度並びに冷却水温度とプリセット温度閾値との比較結果に基づいてオフ温度を修正する」というステップは、具体的に、式Toff=a×T1+b×T2+c×T1×T2+dに従ってオフ温度を修正することを含み、そのうち、Toffはオフ温度、T1は環境温度、T2は冷却水温度、aは第1の修正係数、bは第2の修正係数、cは第3の修正係数、dは第4の修正係数であり、また、第1の修正係数a、第2の修正係数b、第3の修正係数cと第4の修正係数dの大きさは、環境温度T1と冷却水温度T2の大きさに依存する。
【００２０】
上記制御方法の好ましい態様において、プリセット温度閾値は、第1のプリセット環境温度閾値と、第2のプリセット環境温度閾値と、第1のプリセット冷却水温度閾値と、第2のプリセット冷却水温度閾値とを含み、そのうち、第1のプリセット環境温度閾値は、第2のプリセット環境温度閾値より小さく、第1のプリセット冷却水温度閾値は、第2のプリセット冷却水温度閾値より小さい。
【００２１】
上記制御方法の好ましい態様において、第1の修正係数a、第2の修正係数b、第3の修正係数c及び第4の修正係数dの大きさを、環境温度T1が第1のプリセット環境温度閾値以下であるとともに冷却水温度T2が第1のプリセット冷却水温度閾値以下である場合に、オフ温度Toffは変化しない；環境温度T1が第1のプリセット環境温度閾値以下であるとともに冷却水温度T2が第1のプリセット冷却水温度閾値を超える場合に、オフ温度Toffは、環境温度T1と冷却水温度T2とに比例する；環境温度T1が第1のプリセット環境温度閾値を超えるとともに第2のプリセット環境温度閾値以下である場合に、オフ温度Toffは、環境温度T1と冷却水温度T2とに比例する；環境温度T1が第2のプリセット環境温度閾値を超えるとともに冷却水温度T2が第2のプリセット冷却水温度閾値以下である場合に、オフ温度Toffは、環境温度T1と冷却水温度T2とに比例する；環境温度T1が第2のプリセット環境温度閾値を超えるとともに冷却水温度T2が第2のプリセット冷却水温度閾値を超える場合に、オフ温度Toffは変化しない、という状況となるように設定する。
【００２２】
上記制御方法の好ましい態様では、第1のプリセット環境温度閾値は10℃であり、第1のプリセット冷却水温度閾値は10℃であり、第2のプリセット冷却水温度閾値は35℃であり、「環境温度並びに冷却水温度とプリセット温度閾値との比較結果に基づいてオフ温度を修正する」というステップは、具体的に、環境温度T1が第1のプリセット環境温度閾値以下であるとともに冷却水温度T2が第1のプリセット冷却水温度閾値以下である場合、オフ温度Toffに対応する第1の修正係数a、第2の修正係数b、第3の修正係数c及び第4の修正係数dをそれぞれ0、0、0、70とする；環境温度T1が第1のプリセット環境温度閾値以下であるとともに冷却水温度T2が第1のプリセット冷却水温度閾値を超え且つ第2のプリセット冷却水温度閾値以下である場合、オフ温度Toffに対応する第1の修正係数a、第2の修正係数b、第3の修正係数c及び第4の修正係数dを、それぞれ、0.2、0.2、0、66とする；環境温度T1が第1のプリセット環境温度閾値以下であるとともに冷却水温度T2が第2のプリセット冷却水温度閾値を超える場合、オフ温度Toffに対応する第1の修正係数a、第2の修正係数b、第3の修正係数c及び第4の修正係数dを、それぞれ、0.1、0.3、0、66とすることを含む。
【００２３】
上記制御方法の好ましい態様において、第1のプリセット環境温度閾値は10℃であり、第2のプリセット環境温度閾値は35℃であり、第1のプリセット冷却水温度閾値は10℃であり、第2のプリセット冷却水温度閾値は35℃であり、「環境温度並びに冷却水温度とプリセット温度閾値との比較結果に基づいてオフ温度を修正する」というステップは、具体的に、環境温度T1が第1のプリセット環境温度閾値を超え且つ第2のプリセット環境温度閾値以下であるとともに冷却水温度T2が第1のプリセット冷却水温度閾値以下である場合、オフ温度Toffに対応する第1の修正係数a、第2の修正係数b、第3の修正係数c及び第4の修正係数dを、それぞれ、0.3、0.1、0、66とする；環境温度T1が第1のプリセット環境温度閾値を超え且つ第2のプリセット環境温度閾値以下であるとともに冷却水温度T2が第1のプリセット冷却水温度閾値を超え且つ第2のプリセット冷却水温度閾値以下である場合に、オフ温度Toffに対応する第1の修正係数a、第2の修正係数b、第3の修正係数c及び第4の修正係数dを、それぞれ、0.3、0.3、0、63とする；環境温度T1が第1のプリセット環境温度閾値を超え且つ第2のプリセット環境温度閾値以下であるとともに冷却水温度T2が第2のプリセット冷却水温度閾値を超える場合、オフ温度Toffに対応する第1の修正係数a、第2の修正係数b、第3の修正係数c及び第4の修正係数dを、それぞれ、0.4、0.2、0、66とすることを含む。
【００２４】
上記制御方法の好ましい態様では、第1のプリセット環境温度閾値は35℃であり、第1のプリセット冷却水温度閾値は10℃であり、第2のプリセット冷却水温度閾値は35℃であり、「環境温度並びに冷却水温度とプリセット温度閾値との比較結果に基づいてオフ温度を修正する」というステップは、具体的に、環境温度T1が第2のプリセット環境温度閾値を超えるとともに冷却水温度T2が第1のプリセット冷却水温度閾値以下である場合、オフ温度Toffに対応する第1の修正係数a、第2の修正係数b、第3の修正係数c及び第4の修正係数dをそれぞれ0.3、0.1、0、66とする；環境温度T1が第2のプリセット環境温度閾値を超えるとともに冷却水温度T2が第1のプリセット冷却水温度閾値を超え且つ第2のプリセット冷却水温度閾値以下である場合、オフ温度Toffに対応する第1の修正係数a、第2の修正係数b、第3の修正係数c及び第4の修正係数dを、それぞれ、0.4、0.2、0、64とする；環境温度T1が第2のプリセット環境温度閾値を超えるとともに冷却水温度T2が第2のプリセット冷却水温度閾値を超える場合、オフ温度Toffに対応する第1の修正係数a、第2の修正係数b、第3の修正係数c及び第4の修正係数dを、それぞれ、0、0、0、85とすることを含む。
【００２５】
上記制御方法の好ましい態様において、衣類処理設備は、外槽と、内槽とを含み、「修正したオフ温度に基づいて乾燥モードを選択的にオフにする」というステップは、具体的に、外槽の温度を検出することと、検出された外槽の温度と修正したオフ温度とを比較することと、検出された外槽の温度が修正したオフ温度以上である場合に、衣類処理設備が乾燥モードをオフにするように制御することと、検出された外槽の温度が修正したオフ温度未満である場合に、衣類処理設備が乾燥モードを維持するように制御することとを含む。
【００２６】
また、本発明の技術案2は、外槽と、内槽と、凝縮モジュールとを含む衣類処理設備を更に提供しており、衣類処理設備は、環境温度を検出するための環境温度センサと、凝縮モジュールの冷却水温度を検出するための水温センサと、外槽の温度を検出するための外槽温度センサと、温度検出モジュールにより検出された環境温度と冷却水温度に基づいて、衣類処理設備の乾燥モードのオフ温度を修正するための温度修正モジュールと、修正したオフ温度に基づいて、検出された外槽の温度に応じて乾燥モードを選択的にオフにする制御モジュールとを更に含む。
【００２７】
当業者が理解出来ることは、本発明の制御方法の好ましい態様において、一体型洗濯乾燥機が乾燥モードとされる場合に、環境温度並びに凝縮モジュールの冷却水温度を検出し、環境温度並びに冷却水温度に基づいて乾燥モードのオフ温度を修正し、修正したオフ温度に基づいて乾燥モードを選択的にオフにする。従来のような設定済みの規定値であるオフ温度により直接に乾燥モードのオフを制御する技術案と比べると、本発明は、乾燥モードをオフにする制御の過程中、検出された環境温度並びに冷却水温度によって乾燥モードのオフ温度を修正することで、環境温度並びに冷却水温度による乾燥モードのオフ温度への影響を低減し、乾燥モードのオフ温度を正確に判定することができ、乾燥モードをオフにする制御を正確に行い、衣類の乾燥がまだ出来ていないのに乾燥モードが早期に終了することを回避でき、一体型洗濯乾燥機の乾燥効果を高めてユーザの使用体験も向上させる。
【００２８】
さらに、環境温度並びに冷却水温度とプリセット温度閾値とを比較し、環境温度並びに冷却水温度とプリセット温度閾値との比較結果に基づいてオフ温度を修正し、且つ、式Toff=a×T1+b×T2+c×T1×T2+dに従ってオフ温度を修正し、そのうち、第1の修正係数a、第2の修正係数b、第3の修正係数c及び第4の修正係数dの大きさが環境温度T1と冷却水温度T2の大きさに依存することで、乾燥モードのオフ温度を正確に修正することができ、乾燥モードをオフにする制御を正確に行い、衣類の乾燥がまだ出来ていないのに乾燥モードが早期に終了することを回避でき、一体型洗濯乾燥機の乾燥効果を高めてユーザの使用体験も向上させる。
【００２９】
本発明の技術案3は、凝縮モジュールを含む衣類処理設備用の制御方法を提供しており、制御方法は、衣類処理設備が乾燥モードとされる場合、凝縮モジュールの冷却水温度を検出するステップと、冷却水温度に基づいて乾燥モードのオフ温度を修正するステップと、修正したオフ温度に基づいて乾燥モードを選択的にオフにするステップとを含む。
【００３０】
上記制御方法の好ましい態様において、「冷却水温度に基づいて乾燥モードのオフ温度を修正する」というステップは、具体的に、冷却水温度とプリセット温度閾値とを比較することと、冷却水温度とプリセット温度閾値との比較結果に基づいてオフ温度を修正することを含む。
【００３１】
上記制御方法の好ましい態様において、「冷却水温度とプリセット温度閾値との比較結果に基づいてオフ温度を修正する」というステップは、具体的には、式Toff=a×T1+bに従ってオフ温度を修正することを含み、そのうち、Toffはオフ温度、T1は冷却水温度、aは第1の修正係数、bは第2の修正係数であり、また、第1の修正係数aと第2の修正係数bの大きさは、冷却水温度T1の大きさに依存する。
【００３２】
上記制御方法の好ましい態様において、プリセット温度閾値は、第1のプリセット温度閾値と第2のプリセット温度閾値を含み、そのうち、第1のプリセット温度閾値は、第2のプリセット温度閾値より小さい。
【００３３】
上記制御方法の好ましい態様において、第1の修正係数a及び第2の修正係数bの大きさを、冷却水温度T1が第1のプリセット温度閾値以下である場合に、オフ温度Toffは変化しない；冷却水温度T1が第1のプリセット温度閾値を超えるとともに第2のプリセット温度閾値以下である場合に、オフ温度Toffは冷却水温度T1に比例する；冷却水温度T1が第2のプリセット温度閾値を超える場合に、オフ温度Toffは変化しない、という状況となるように設定する。
【００３４】
上記制御方法の好ましい態様では、第1のプリセット温度閾値は10℃であり、「冷却水温度とプリセット温度閾値との比較結果に基づいてオフ温度を修正する」というステップは、具体的に、冷却水温度T1が第1のプリセット温度閾値以下である場合、オフ温度Toffに対応する第1の修正係数aと第2の修正係数bを、それぞれ0と70とすることを含む。
【００３５】
上記制御方法の好ましい態様では、第1のプリセット温度閾値は10℃であり、第2のプリセット温度閾値は35℃であり、「冷却水温度とプリセット温度閾値との比較結果に基づいてオフ温度を修正する」というステップは、具体的に、冷却水温度T1が第1のプリセット温度閾値を超えるとともに第2のプリセット温度閾値以下である場合、オフ温度Toffに対応する第1の修正係数a及び第2の修正係数bを、それぞれ0.4、66とする；冷却水温度T1が第2のプリセット温度閾値を超える場合、オフ温度Toffに対応する第1の修正係数a及び第2の修正係数bを、それぞれ0と80とすることを含む。
【００３６】
上記制御方法の好ましい態様において、衣類処理設備は、外槽と内槽とを含み、「修正したオフ温度に基づいて乾燥モードを選択的にオフにする」というステップは、具体的に、外槽の温度を検出することと、検出された外槽の温度と修正したオフ温度とを比較することと、検出された外槽の温度が修正したオフ温度以上である場合に、衣類処理設備が乾燥モードをオフにするように制御することを含む。
【００３７】
上記制御方法の好ましい態様において、「修正したオフ温度に基づいて乾燥モードを選択的にオフにする」というステップは、具体的に、検出された外槽の温度が修正したオフ温度未満である場合、衣類処理設備が乾燥モードを維持するように制御することを含む。
【００３８】
また、本発明の技術案3は、外槽と、内槽と、凝縮モジュールとを含む衣類処理設備を更に提供しており、衣類処理設備は、凝縮モジュールの冷却水温度を検出するための水温センサと、外槽の温度を検出するための外槽温度センサと、水温センサにより検出された冷却水温度に基づいて、衣類処理設備の乾燥モードのオフ温度を修正するための温度修正モジュールと、修正したオフ温度に基づいて、検出された外槽の温度に応じて乾燥モードを選択的にオフにする制御モジュールとを更に含む。
【００３９】
当業者が理解出来ることは、本発明の制御方法の好ましい態様において、一体型洗濯乾燥機が乾燥モードとされる場合に、凝縮モジュールの冷却水温度を検出し、冷却水温度に基づいて乾燥モードのオフ温度を修正し、修正したオフ温度に基づいて乾燥モードを選択的にオフにする。従来のような設定済みの規定値であるオフ温度により直接に乾燥モードのオフを制御する技術案と比べると、本発明は、乾燥モードをオフにする制御の過程中、検出された冷却水温度によって乾燥モードのオフ温度を修正することで、冷却水温度による乾燥モードのオフ温度への影響を低減し、乾燥モードのオフ温度を正確に判定することができ、乾燥モードをオフにする制御を正確に行い、衣類の乾燥がまだ出来ていないのに乾燥モードが早期に終了することを回避でき、一体型洗濯乾燥機の乾燥効果を高めてユーザの使用体験も向上させる。
【００４０】
さらに、冷却水温度とプリセット温度閾値とを比較し、冷却水温度とプリセット温度閾値との比較結果に基づいてオフ温度を修正し、且つ、式Toff=a×T1+bに従ってオフ温度を修正し、そのうち、第1の修正係数aと第2の修正係数bの大きさが冷却水温度T1の大きさに依存することで、乾燥モードのオフ温度を正確に修正することができ、乾燥モードをオフにする制御を正確に行い、衣類の乾燥がまだ出来ていないのに乾燥モードが早期に終了することを回避でき、一体型洗濯乾燥機の乾燥効果を高めてユーザの使用体験も向上させる。
【図面の簡単な説明】
【００４１】
以下、本発明の制御方法を図面に参照しながら、一体型洗濯乾燥機と合わせて説明する。図面においては以下となる。
【図１】本発明の実施例１に係る制御方法のフローチャートである。
【図２】本発明の実施例１に係る一つの実施例の制御方法のフローチャートである。
【図３】本発明の実施例１に係る一体型洗濯乾燥機のブロック概略図である。
【図４】本発明の実施例２に係る制御方法のフローチャートである。
【図５】本発明の実施例２に係る制御方法のフローチャート1である。
【図６】本発明の実施例２に係る制御方法のフローチャート2である。
【図７】本発明の実施例２に係る制御方法のフローチャート3である。
【図８】本発明の実施例２に係る一体型洗濯乾燥機のブロック概略図である。
【図９】本発明の実施例３に係る制御方法のフローチャートである。
【図１０】本発明の実施例３に係る一つの実施例の制御方法のフローチャートである。
【図１１】本発明の実施例３に係る一体型洗濯乾燥機のブロック概略図である。
【発明を実施するための形態】
【００４２】
以下、本発明の好ましい実施形態を、図面を参照しながら説明する。当業者は、これらの実施形態が本発明の技術的原理を説明するためだけに使用され、本発明の保護範囲を制限するものではないと理解すべきである。例えば、本願について一体型洗濯乾燥機と合わせて説明するが、本発明の技術案はこれに限定されず、この制御方法は衣類乾燥機等他の衣類処理設備に適用可能であるのは言うまでもなく、このような変更は、本発明の原理や範囲から逸脱しない。
【００４３】
また、本願の記述において、「第1」、「第2」という用語は、単に目的を説明するために使用されるものであり、相対的な重要性を示したり暗示したりするものと理解されるのは出来ない。
【００４４】
実施例１
背景技術において提出された課題に基づいて、本発明が一体型洗濯乾燥機用の制御方法を提供しており、その旨は、環境温度によって乾燥モードのオフ温度を修正することで、環境温度による乾燥モードのオフ温度への影響を低減し、乾燥モードのオフ温度を正確に判定することができ、乾燥モードをオフにする制御を正確に行い、衣類の乾燥がまだ出来ていないのに乾燥モードが早期に終了することを回避でき、一体型洗濯乾燥機の乾燥効果を高めてユーザの使用体験も向上させる。
【００４５】
図1乃至図3を参照すると、図1は、本発明の実施例１に係る制御方法のフローチャートであり、図2は、本発明の実施例１に係る一つの実施例の制御方法のフローチャートであり、図3は、本発明の実施例１に係る一体型洗濯乾燥機のブロック概略図である。図1に示すように、本発明の制御方法は、以下のステップを含む。
【００４６】
S1では、一体型洗濯乾燥機が乾燥モードとされる場合、環境温度を検出する。
S2では、環境温度に基づいて乾燥モードのオフ温度を修正する。
S3では、修正したオフ温度に基づいて乾燥モードを選択的にオフにする。
【００４７】
好ましくは、環境温度は、プリセット時間閾値内で測定された環境の平均温度である。プリセット時間閾値は例えば5minであり、なお、プリセット時間閾値は、上記例示した時間に限定されず、プリセット時間閾値で環境温度を決定する要求を満たしていれば、当業者が実際の応用に応じてプリセット時間閾値を柔軟に調整できる。
【００４８】
一方、本発明は、一体型洗濯乾燥機を更に提供しており、図3に示すように、この一体型洗濯乾燥機は、ケーシングと、ケーシング内に設置された外槽と外槽内に回動可能に設置された内槽と、環境温度センサと、外槽温度センサと、温度修正モジュールと、制御モジュールとを含み、環境温度センサはケーシングの外側に設置され、環境温度を検出することに用いられるものであり、外槽温度センサは外槽に設置され、外槽の温度の検出に用いられるものであり、温度修正モジュールは、制御モジュールに設置され、環境温度センサにより検出された環境温度に基づいて一体型洗濯乾燥機に係る乾燥モードのオフ温度の修正に用いられるものであり、制御モジュールはケーシングに設けられ、修正したオフ温度に基づいて、検出された外槽の温度に応じて乾燥モードを選択的にオフにするものである。勿論、環境温度センサ、外槽温度センサ、温度修正モジュール、及び制御モジュールの実際の取付位置は、上記例示した取付位置に限らず、当業者は、実際の応用で、環境温度センサと、外槽温度センサと、温度修正モジュールと、制御モジュールとの協働により、オフ温度を修正することが出来るのであれば、環境温度センサ、外槽温度センサ、温度修正モジュール、制御モジュールの実際の取付位置を柔軟に設置することができる。
【００４９】
好ましくは、環境温度センサと外槽温度センサは、環境温度並びに外槽温度を検出するために、赤外線温度センサであってもよく、他の種類のセンサ、例えば、RFセンサなどであってもよく、なお、環境温度並びに外槽温度の検出方法は本発明を制限すべきではない。
【００５０】
好ましくは、温度修正モジュールは、コンピュータソフトウェアで設計され、プリセット温度閾値に基づいて、温度センサの温度データを修正し、修正された温度データを制御モジュールに提供する。
【００５１】
好ましくは、制御モジュールは、温度センサによって検出された環境温度と外槽温度を識別でき、検出された環境温度に基づいて、乾燥モードのオフ温度を修正するように温度修正モジュールを制御するとともに検出された外槽温度に基づいて乾燥モードを選択的にオフにする。制御モジュールは、一体型洗濯乾燥機自体の制御モジュールであってもよいし、付加される制御モジュールや他の携帯端末であってもよいが、ここでは係る説明を省略する。
【００５２】
上記ステップS2において、「環境温度に基づいて乾燥モードのオフ温度を修正する」というステップは、具体的には、下記内容を含む。
【００５３】
S21では、環境温度とプリセット温度閾値とを比較する。
S22では、環境温度とプリセット温度閾値との比較結果に基づいてオフ温度を修正する。
【００５４】
上記制御方法によれば、乾燥モードのオフ温度を正確に修正することができ、乾燥モードをオフにする制御を正確に行い、衣類の乾燥がまだ出来ていないのに乾燥モードが早期に終了することを回避でき、一体型洗濯乾燥機の乾燥効果を高めて、さらにユーザの使用体験を向上させる。
【００５５】
さらに、上記ステップS22において、「環境温度とプリセット温度閾値との比較結果に基づいてオフ温度を修正する」というステップは、具体的に、以下の式に従ってオフ温度を修正することを含む。
【００５６】
Toff=a×T1+b
そのうち、Toffはオフ温度、
T1は環境温度、
aは第1の修正係数、
bは第2の修正係数である。
【００５７】
なお、第1の修正係数a及び第2の修正係数bの大きさは、環境温度T1の大きさに依存する。
【００５８】
上記ステップにおいて、プリセット温度閾値は、第1のプリセット温度閾値と第2のプリセット温度閾値を含み、そのうち、第1のプリセット温度閾値は、第2のプリセット温度閾値より小さい。
【００５９】
好ましくは、上記ステップS22において、「環境温度とプリセット温度閾値との比較結果に基づいてオフ温度を修正する」というステップは、さらに下記内容を含む。
【００６０】
S221では、環境温度T1が第1のプリセット温度閾値以下であるか否かを判定する。
S222では、環境温度T1が第1のプリセット温度閾値以下である場合、オフ温度Toffは変化しない。
S223では、環境温度T1が第1のプリセット温度閾値を超えるとともに第2のプリセット温度閾値以下であるか否かを判定する。
S224では、環境温度T1が第1のプリセット温度閾値を超えるとともに第2のプリセット温度閾値以下である場合、オフ温度Toffは環境温度T1に比例する。
S225では、環境温度T1が第2のプリセット温度閾値を超える場合、オフ温度Toffは変化しない。
【００６１】
具体的には、上記ステップS222において、環境温度T1が第1のプリセット温度閾値以下である場合、環境温度が比較的低く、乾燥モードのオフ温度に影響せず、乾燥モードをオフにする必要があるか否かを正確に判定できることを示しており、オフ温度Toffをそのままにし、即ち、オフ温度Toffは、環境温度の変化によって変化しない。
【００６２】
好ましくは、上記ステップS224において、環境温度T1が第1のプリセット温度閾値を超えるとともに第2のプリセット温度閾値以下である場合、環境温度が比較的高く、乾燥モードのオフ温度に影響を及ぼし、乾燥モードをオフにする必要があるかどうかを正確に判定することができないことを示しており、オフ温度Toffは環境温度T1に比例するように設置されて、環境温度の上昇に伴ってオフ温度Toffも上昇となり乾燥モードのオフ温度を向上させることで、衣類の乾燥がまだ出来ていないのに乾燥モードが早期に終了することを回避でき、一体型洗濯乾燥機の乾燥効果を高めて、さらにユーザの使用体験を向上させる。
【００６３】
好ましくは、上記ステップS226において、環境温度T1が第2のプリセット温度閾値を超える場合、環境温度がかなり高く、乾燥モードのオフ温度に極めて大きな影響を及ぼし、乾燥モードをオフにする必要があるかどうかを正確に判定することができないことを示しており、オフ温度Toffをそのままにし、即ち、オフ温度Toffが環境温度の変化によって変化しないことで、衣類の乾燥がまだ出来ていないのに乾燥モードが早期に終了することを回避でき、一体型洗濯乾燥機の乾燥効果を高めて、さらにユーザの使用体験を向上させる。
【００６４】
上記の過程で、第1のプリセット温度閾値の設定により、一体型洗濯乾燥機は異なる場合に最適な修正モードを採用することができるように、オフ温度の修正をどのように行うかについての結論を更に出して、乾燥モードのオフ温度を正確に判定することができ、一体型洗濯乾燥機の乾燥効果を向上できる。なお、第1のプリセット温度閾値は、環境温度の最低温度であってもよいが、例えば、第1のプリセット温度閾値が10℃である場合、オフ温度の修正案が最適となり、一体型洗濯乾燥機の乾燥効果を高める。勿論、上述した第1のプリセット温度閾値は、環境温度の最低温度に限らず、他の温度、例えば、当業者が特定な動作状態での実験から求められた実験温度、あるいは経験的に得られた経験温度であってもよく、第1のプリセット温度閾値に決定された第1の修正係数と第2の修正係数とを選定する境界点が、オフ温度を修正する要求を満たすことができる限り、任意の温度に設定してもよい。
【００６５】
更に、第2のプリセット温度閾値の設定により、一体型洗濯乾燥機は異なる場合に最適な修正モードを採用することができるように、オフ温度の修正をどのように行うかについての結論を更に出して、乾燥モードのオフ温度を正確に判定することができ、一体型洗濯乾燥機の乾燥効果を向上できる。なお、第2のプリセット温度閾値の設定は実際の状況に応じて柔軟に調整や設定可能で、第2のプリセット温度閾値は例えば35℃であり、第2のプリセット温度閾値に決定された第1の修正係数と第2の修正係数とを選定する境界点が、オフ温度を修正する要求を満たすことができる限り、任意の温度に設定してもよい。
【００６６】
好ましくは、環境温度T1が10℃(第1のプリセット温度閾値)以下である場合、オフ温度Toffに対応する第1の修正係数aを0とし、第2の修正係数bを70とし、すなわちToff=70℃とする。
【００６７】
好ましくは、環境温度T1が10℃を超えるとともに35℃(第2のプリセット温度閾値)以下である場合、オフ温度Toffに対応する第1の修正係数aを1とし、第2の修正係数bを55とし、すなわちToff=T1+55とする。
【００６８】
好ましくは、環境温度T1が35℃を超える場合、オフ温度Toffに対応する第1の修正係数aを0とし、第2の修正係数bを80とし、すなわちToff=80℃とする。
【００６９】
勿論、第1の修正係数の値及び第2の修正係数の値は、上記例示した値に限定されず、実際の操作中で下記要求を満たしていれば、当業者が柔軟に調整できる。環境温度が第1のプリセット温度閾値以下である場合に、オフ温度Toffは変化しない；環境温度が第1のプリセット温度閾値を超えるとともに第2のプリセット温度閾値以下である場合に、オフ温度Toffは環境温度T1に比例する；環境温度が第2のプリセット温度閾値を超える場合に、オフ温度Toffは変化しない。
【００７０】
上記ステップS3では、「修正したオフ温度に基づいて乾燥モードを選択的にオフにする」というステップは、具体的に下記内容を含む。
【００７１】
S31では、外槽の温度を検出する。
S32では、検出された外槽の温度と修正したオフ温度とを比較する。
S33では、外槽の温度が修正したオフ温度以上であるか否かを判定する。
S34では、「YES」の場合、一体型洗濯乾燥機が乾燥モードをオフにするように制御する。
S35では、「NO」の場合、一体型洗濯乾燥機が乾燥モードを維持するように制御する。
【００７２】
具体的には、上記ステップS34では、外槽温度が修正したオフ温度以上である場合、外槽温度が比較的高く、乾燥モードをオフにする温度に達していることを示しており、一体型洗濯乾燥機が乾燥モードをオフにするように制御する。
【００７３】
好ましくは、上記ステップS35では、外槽温度が修正したオフ温度未満である場合、外槽温度が比較的低く、乾燥モードをオフにする温度に達していなく、乾燥モードを引き続き実行できることを示しており、一体型洗濯乾燥機が乾燥モードを維持するように制御する。
【００７４】
以下、図2を参照して説明する。図2は本発明の実施例１に係る一つの実施例の制御方法のフローチャートである。
【００７５】
図2に示すように、ある可能な実施形態では、本発明の一体型洗濯乾燥機の制御方法の完全なるフローは下記であってもよい。
【００７６】
S1では、一体型洗濯乾燥機が乾燥モードとされる場合、環境温度を検出する。
S21では、環境温度と10℃（第1のプリセット温度閾値）とを比較する。
S221では、環境温度が10℃以下であるか否かを判定する。
S222では、「YES」の場合、乾燥モードのオフ温度Toff=70℃とする。
S223では、「NO」の場合、環境温度が35℃（第2のプリセット温度閾値）以下であるか否かを判定する。
S224では、「YES」の場合、乾燥モードのオフ温度Toff=T1+55とする。
S225では、「NO」の場合、乾燥モードのオフ温度Toff=80℃とする。
S31では、外槽の温度を検出する。
S32では、検出された外槽の温度と修正したオフ温度とを比較する。
S33では、外槽の温度が修正したオフ温度以上であるか否かを判定する。
S34では、「YES」の場合、一体型洗濯乾燥機が乾燥モードをオフにするように制御する。
S35では、「NO」の場合、一体型洗濯乾燥機が乾燥モードを維持するように制御する。
【００７７】
勿論、具体的な実施形態において、先に環境温度と35℃とを比較し、35℃との比較結果に基づいて、10℃との比較を行うか否かを決定してもよいが、その実施は上記例示に挙げられた実施形態とは類似しており、ここでの説明を省略する。
【００７８】
なお、上述実施例は、本発明の好ましい実施形態の一つであり、本発明の保護範囲を限定するものではなく単に本発明の方法の原理を説明するためのものであり、実際の応用において、当業者が必要に応じて、上記機能を異なるステップに割り当て実現することができ、即ち、本発明の実施例におけるステップをさらに分解または組み合わせることができる。例えば、上述実施例のステップは、1つのステップに統合してもよいし、さらに複数のサブステップに分解して、以上説明した全部または一部の機能を実現してもよい。本発明の実施例に係るステップの名称は、各ステップを区別するためだけのものであり、本発明に対する制限とは見なされない。
【００７９】
実施例２
背景技術において提出された課題に基づいて、本発明が一体型洗濯乾燥機用の制御方法を提供しており、その旨は、環境温度並びに冷却水温度によって乾燥モードのオフ温度を修正することで、環境温度並びに冷却水温度による乾燥モードのオフ温度への影響を低減し、乾燥モードのオフ温度を正確に判定することができ、乾燥モードをオフにする制御を正確に行い、衣類の乾燥がまだ出来ていないのに乾燥モードが早期に終了することを回避でき、一体型洗濯乾燥機の乾燥効果を高めてユーザの使用体験も向上させる。
【００８０】
図4乃至図8を参照すると、図4は、本発明の実施例２に係る制御方法のフローチャートであり、図5は、本発明の実施例２に係る制御方法のフローチャート1であり、図6は、本発明の実施例２に係る制御方法のフローチャート2であり、図7は、本発明の実施例２に係る制御方法のフローチャート3であり、図8は、本発明の実施例２に係る一体型洗濯乾燥機のブロック概略図である。図4に示すように、本発明の制御方法は、以下のステップを含む。
【００８１】
S1では、一体型洗濯乾燥機が乾燥モードとされる場合、環境温度並びに凝縮モジュールの冷却水温度を検出する。
S2では、環境温度並びに冷却水温度に基づいて乾燥モードのオフ温度を修正する。
S3では、修正したオフ温度に基づいて乾燥モードを選択的にオフにする。
【００８２】
好ましくは、環境温度は、第1のプリセット時間閾値内で測定された環境の平均温度であり、例えば、第1のプリセット時間閾値は5minであり、冷却水温度は、第2のプリセット時間閾値内で測定された冷却水の平均温度であり、例えば、第2のプリセット時間閾値は5minである。勿論、第1のプリセット時間閾値と第2のプリセット時間閾値は、上記例示した時間に限定されず、第1のプリセット時間閾値と第2のプリセット時間閾値で環境温度と冷却水温度を決定する要求を満たしていれば、当業者が実際の応用に応じて第1のプリセット時間閾値と第2のプリセット時間閾値を柔軟に調整できる。
【００８３】
一方、本発明は、一体型洗濯乾燥機を更に提供しており、図8に示すように、この一体型洗濯乾燥機は、ケーシングと、ケーシング内に設置された外槽と外槽内に回動可能に設置された内槽と、凝縮モジュールと、環境温度センサと、水温センサと、外槽温度センサと、温度修正モジュールと、制御モジュールとを含み、凝縮モジュールはケーシング内に設けられ、乾燥中で発生された高温高湿の蒸気を凝縮することに用いられるものであり、環境温度センサは、ケーシングの外側に設けられ、環境温度を検出することに用いられるものであり、水温センサは一体型洗濯乾燥機の電磁弁内に設けられ、凝縮モジュールの冷却水温度を検出することに用いられるものであり、外槽温度センサは外槽に設置され、外槽の温度の検出に用いられるものであり、温度修正モジュールは、制御モジュールに設置され、環境温度と冷却水温度センサにより検出された環境温度並びに冷却水温度に基づいて一体型洗濯乾燥機に係る乾燥モードのオフ温度の修正に用いられるものであり、制御モジュールはケーシングに設けられ、修正したオフ温度に基づいて、検出された外槽の温度に応じて乾燥モードを選択的にオフにするものである。勿論、凝縮モジュール、環境温度センサ、水温センサ、外槽温度センサ、温度修正モジュール、及び制御モジュールの実際の取付位置は、上記例示した取付位置に限らず、当業者は、実際の応用で、凝縮モジュールと、環境温度センサと、水温センサと、外槽温度センサと、温度修正モジュールと、制御モジュールとの協働により、オフ温度を修正することが出来れば、環境温度と冷却水温度センサ、外槽温度センサ、温度修正モジュール、制御モジュールの実際の取付位置を柔軟に設置することができる。
【００８４】
好ましくは、凝縮モジュールは、凝縮器、凝縮管等の他の構成であり、ここでは係る説明を省略する。
【００８５】
好ましくは、環境温度センサ、水温センサ、外槽温度センサは、環境温度、冷却水温度並びに外槽温度を検出するために、赤外線温度センサであってもよく、他の種類のセンサ、例えば、RFセンサなどであってもよく、なお、環境温度、冷却水温度並びに外槽温度の検出方法は本発明を制限すべきではない。
【００８６】
好ましくは、温度修正モジュールは、コンピュータソフトウェアで設計され、プリセット温度閾値に基づいて、温度センサの温度データを修正し、修正された温度データを制御モジュールに提供する。
【００８７】
好ましくは、制御モジュールは、温度センサによって検出された環境温度と、冷却水温度と外槽温度を識別でき、検出された環境温度と冷却水温度に基づいて、乾燥モードのオフ温度を修正するように温度修正モジュールを制御するとともに検出された外槽温度に基づいて乾燥モードを選択的にオフにする。制御モジュールは、一体型洗濯乾燥機自体の制御モジュールであってもよいし、付加される制御モジュールや他の携帯端末であってもよいが、ここでは係る説明を省略する。
【００８８】
上記ステップS2において、「環境温度並びに冷却水温度に基づいて乾燥モードのオフ温度を修正する」というステップは、具体的には、下記内容を含む。
【００８９】
S21では、環境温度並びに冷却水温度とプリセット温度閾値とを比較する。
S22では、環境温度並びに冷却水温度とプリセット温度閾値との比較結果に基づいてオフ温度を修正する。
【００９０】
上記制御方法によれば、乾燥モードのオフ温度を正確に修正することができ、乾燥モードをオフにする制御を正確に行い、衣類の乾燥がまだ出来ていないのに乾燥モードが早期に終了することを回避でき、一体型洗濯乾燥機の乾燥効果を高めて、さらにユーザの使用体験を向上させる。
【００９１】
さらに、上記ステップS22において、「環境温度並びに冷却水温度とプリセット温度閾値との比較結果に基づいてオフ温度を修正する」というステップは、具体的に、以下の式に従ってオフ温度を修正することを含む。
【００９２】
Toff=a×T1+b×T2+c×T1×T2+d
そのうち、Toffはオフ温度、
T1は環境温度、
T2は冷却水温度、
aは第1の修正係数、
bは第2の修正係数、
cは第3の修正係数、
dは第4の修正係数である。
【００９３】
なお、第1の修正係数a、第2の修正係数b、第3の修正係数c及び第4の修正係数dの大きさは、環境温度T1及び冷却水温度T2の大きさに依存する。
【００９４】
上記ステップにおいて、プリセット温度閾値は、第1のプリセット環境温度閾値と、第2のプリセット環境温度閾値と、第1のプリセット冷却水温度閾値と、第2のプリセット冷却水温度閾値とを含み、そのうち、第1のプリセット環境温度閾値は、第2のプリセット環境温度閾値より小さく、第1のプリセット冷却水温度閾値は、第2のプリセット冷却水温度閾値より小さい。
【００９５】
好ましくは、上記ステップS22において、「環境温度並びに冷却水温度とプリセット温度閾値との比較結果に基づいてオフ温度を修正する」というステップは、さらに下記内容を含む。
【００９６】
S221では、環境温度T1が第1のプリセット環境温度閾値以下であるか否か、且つ冷却水温度T2が第1のプリセット冷却水温度閾値以下であるか否かを判定する。
S222では、環境温度T1が第1のプリセット環境温度閾値以下であるとともに冷却水温度T2が第1のプリセット冷却水温度閾値以下である場合、オフ温度Toffは変化しない。
S223では、環境温度T1が第1のプリセット環境温度閾値以下であるか否か、冷却水温度T2が第1のプリセット冷却水温度閾値を超えるか否かを判定する。
S224では、環境温度T1が第1のプリセット環境温度閾値以下であるとともに冷却水温度T2が第1のプリセット冷却水温度閾値を超える場合、オフ温度Toffは環境温度T1と冷却水温度T2に比例する。
S225では、環境温度T1が第1のプリセット環境温度閾値を超えるとともに第2のプリセット環境温度閾値以下であるか否かを判定する。
S226では、環境温度T1が第1のプリセット環境温度閾値を超えるとともに第2のプリセット環境温度閾値以下である場合、オフ温度Toffは環境温度T1と冷却水温度T2に比例する。
S227では、環境温度T1が第1のプリセット環境温度閾値を超えるとともに第2のプリセット環境温度閾値以下であるか否かを判定する。
S228では、環境温度T1が第1のプリセット環境温度閾値を超えるとともに第2のプリセット環境温度閾値以下である場合、オフ温度Toffは環境温度T1と冷却水温度T2に比例する。
S229では、環境温度T1が第2のプリセット環境温度閾値を超えるか否か、且つ冷却水温度T2が第2のプリセット冷却水温度閾値を超えるか否かを判定する。
S230では、環境温度T1が第2のプリセット環境温度閾値を超えるとともに冷却水温度T2が第2のプリセット冷却水温度閾値を超える場合、オフ温度Toffは変化しない。
【００９７】
具体的には、上記ステップS222において、環境温度T1が第1のプリセット環境温度閾値以下であるとともに冷却水温度T2が第1のプリセット冷却水温度閾値以下である場合、環境温度と冷却水温度がいずれも比較的低く、乾燥モードのオフ温度に影響せず、乾燥モードをオフにする必要があるか否かを正確に判定できることを示しており、オフ温度Toffをそのままにし、即ち、オフ温度Toffは、環境温度並びに冷却水温度の変化によって変化しない。
【００９８】
好ましくは、上記ステップS224において、環境温度T1が第1のプリセット環境温度閾値以下であるとともに冷却水温度T2が第1のプリセット冷却水温度閾値を超える場合、環境温度T1が比較的低いが冷却水温度T2が比較的高く、乾燥モードのオフ温度に影響を及ぼし、乾燥モードをオフにする必要があるかどうかを正確に判定することができないことを示しており、オフ温度Toffは環境温度T1と冷却水温度T2に比例するように設置されて、環境温度と冷却水温度の上昇に伴ってオフ温度Toffも上昇となり乾燥モードのオフ温度を向上させることで、衣類の乾燥がまだ出来ていないのに乾燥モードが早期に終了することを回避でき、一体型洗濯乾燥機の乾燥効果を高めて、さらにユーザの使用体験を向上させる。
【００９９】
好ましくは、上記ステップS226において、環境温度T1が第1のプリセット環境温度閾値を超えるとともに第2のプリセット環境温度閾値以下である場合、環境温度が比較的高く、冷却水の温度が高いか低いかにかかわらず、乾燥モードのオフ温度に大きく影響し、乾燥モードをオフにする必要があるかどうかを正確に判定することができないことを示しており、オフ温度Toffは環境温度T1と冷却水温度T2に比例するように設置されて、環境温度と冷却水温度の上昇に伴ってオフ温度Toffも上昇となり乾燥モードのオフ温度を向上させることで、衣類の乾燥がまだ出来ていないのに乾燥モードが早期に終了することを回避でき、一体型洗濯乾燥機の乾燥効果を高めて、さらにユーザの使用体験を向上させる。
【０１００】
好ましくは、上記ステップS228において、環境温度T1が第2のプリセット環境温度閾値を超えるとともに冷却水温度T2が第2のプリセット冷却水温度閾値以下である場合、環境温度が高すぎで、且つ冷却水温度が比較的高く、乾燥モードのオフ温度に極めて大きく影響し、乾燥モードをオフにする必要があるかどうかを正確に判定することができないことを示しており、オフ温度Toffは環境温度T1と冷却水温度T2に比例するように設置されて、環境温度と冷却水温度の上昇に伴ってオフ温度Toffも上昇となり乾燥モードのオフ温度を向上させることで、衣類の乾燥がまだ出来ていないのに乾燥モードが早期に終了することを回避でき、一体型洗濯乾燥機の乾燥効果を高めて、さらにユーザの使用体験を向上させる。
【０１０１】
好ましくは、上記ステップS230において、環境温度T1が第2のプリセット環境温度閾値を超えるとともに冷却水温度T2が第2のプリセット冷却水温度閾値を超える場合、環境温度と冷却水温度がいずれも高すぎて、温度センサの検出精度に極めて大きく影響し、加熱モジュールをオン或いはオフにする必要があるか否かを正確に判定できないことを示しており、オフ温度Toffをそのままにし、つまり、オフ温度Toffが環境温度並びに冷却水温度の変化によって変化しないことで、衣類の乾燥がまだ出来ていないのに乾燥モードが早期に終了することを回避でき、一体型洗濯乾燥機の乾燥効果を高めて、さらにユーザの使用体験を向上させる。
【０１０２】
上記の過程で、第1のプリセット環境温度閾値と第1のプリセット冷却水温度閾値の設定により、一体型洗濯乾燥機は異なる場合に最適な修正モードを採用することができるように、オフ温度の修正をどのように行うかについての結論を更に出して、乾燥モードのオフ温度を正確に判定することができ、一体型洗濯乾燥機の乾燥効果を向上できる。なお、第1のプリセット環境温度閾値は、環境温度の最低温度であってもよく、第1のプリセット冷却水温度閾値は、冷却水温度の最低温度であってもよいが、例えば、第1のプリセット環境温度閾値が10℃であり、第1のプリセット冷却水温度閾値が10℃である場合、オフ温度の修正案が最適となり、一体型洗濯乾燥機の乾燥効果を高める。勿論、第1のプリセット環境温度閾値と第1のプリセット冷却水温度閾値は、上記例示した温度に限らず、他の温度、例えば、当業者が特定な動作状態での実験から求められた実験温度、あるいは経験的に得られた経験温度であってもよく、第1のプリセット環境温度閾値と第1のプリセット冷却水温度閾値に決定された第1の修正係数、第2の修正係数、第3の修正係数及び第4の修正係数を選定する境界点が、オフ温度を修正する要求を満たすことができる限り、任意の温度に設定してもよい。
【０１０３】
さらに、第2のプリセット環境温度閾値と第2のプリセット冷却水温度閾値の設定により、一体型洗濯乾燥機は異なる場合に最適な修正モードを採用することができるように、オフ温度の修正をどのように行うかについての結論を更に出して、乾燥モードのオフ温度を正確に判定することができ、一体型洗濯乾燥機の乾燥効果を向上できる。なお、第2のプリセット環境温度閾値と第2のプリセット冷却水温度閾値の設定は実際の状況に応じて柔軟に調整や設定可能で、例えば第2のプリセット環境温度閾値は35℃であり、第2のプリセット冷却水温度閾値は35℃であり、第2のプリセット環境温度閾値と第2のプリセット冷却水温度閾値に決定された第1の修正係数と、第2の修正係数と、第3の修正係数と、第4の修正係数と、を選定する境界点が、オフ温度を修正する要求を満たすことができる限り、任意の温度に設定してもよい。
【０１０４】
好ましくは、環境温度T1が第1のプリセット環境温度閾値以下であるとともに冷却水温度T2が第1のプリセット冷却水温度閾値以下である場合、オフ温度Toffに対応する第1の修正係数aを0とし、第2の修正係数bを0とし、第3の修正係数cを0とし、第4の修正係数dを70とし、即ちToff=70℃とする。
【０１０５】
好ましくは、環境温度T1が第1のプリセット環境温度閾値以下であり、冷却水温度T2が第1のプリセット冷却水温度閾値を超えるとともに第2のプリセット冷却水温度閾値以下である場合、オフ温度Toffに対応する第1の修正係数aを0.2とし、第2の修正係数bを0.2とし、第3の修正係数cを0とし、第4の修正係数dを66とし、即ちToff=0.2×T1+0.2×T2+66とする。
【０１０６】
好ましくは、環境温度T1が第1のプリセット環境温度閾値以下であるとともに冷却水温度T2が第2のプリセット冷却水温度閾値を超える場合、オフ温度Toffに対応する第1の修正係数aを0.1とし、第2の修正係数bを0.3とし、第3の修正係数cを0とし、第4の修正係数dを66とし、即ちToff=0.1×T1+0.3×T2+66とする。
【０１０７】
好ましくは、環境温度T1が第1のプリセット環境温度閾値を超えるとともに第2のプリセット環境温度閾値以下であり、冷却水温度T2が第1のプリセット冷却水温度閾値以下である場合、オフ温度Toffに対応する第1の修正係数aを0.3とし、第2の修正係数bを0.1とし、第3の修正係数cを0とし、第4の修正係数dを66とし、即ちToff=0.3×T1+0.1×T2+66とする。
【０１０８】
好ましくは、環境温度T1が第1のプリセット環境温度閾値を超えるとともに第2のプリセット環境温度閾値以下であり、冷却水温度T2が第1のプリセット冷却水温度閾値を超えるとともに第2のプリセット冷却水温度閾値以下である場合、オフ温度Toffに対応する第1の修正係数aを0.3とし、第2の修正係数bを0.3とし、第3の修正係数cを0とし、第4の修正係数dを63とし、即ちToff=0.3×T1+0.3×T2+63とする。
【０１０９】
好ましくは、環境温度T1が第1のプリセット環境温度閾値を超えるとともに第2のプリセット環境温度閾値以下であり、冷却水温度T2が第2のプリセット冷却水温度閾値を超える場合、オフ温度Toffに対応する第1の修正係数aを0.4とし、第2の修正係数bを0.2とし、第3の修正係数cを0とし、第4の修正係数dを66とし、即ちToff=0.4×T1+0.2×T2+66とする。
【０１１０】
好ましくは、環境温度T1が第2のプリセット環境温度閾値を超えるとともに冷却水温度T2が第1のプリセット冷却水温度閾値以下である場合、オフ温度Toffに対応する第1の修正係数aを0.3とし、第2の修正係数bを0.1とし、第3の修正係数cを0とし、第4の修正係数dを66とし、即ちToff=0.3×T1+0.1×T2+66とする。
【０１１１】
好ましくは、環境温度T1が第2のプリセット環境温度閾値を超え、冷却水温度T2が第1のプリセット冷却水温度閾値を超えるとともに第2のプリセット冷却水温度閾値以下である場合、オフ温度Toffに対応する第1の修正係数aを0.4とし、第2の修正係数bを0.2とし、第3の修正係数cを0とし、第4の修正係数dを64とし、即ちToff=0.4×T1+0.2×T2+64とする。
【０１１２】
好ましくは、環境温度T1が第2のプリセット環境温度閾値を超えるとともに冷却水温度T2が第2のプリセット冷却水温度閾値を超える場合、オフ温度Toffに対応する第1の修正係数aを0とし、第2の修正係数bを0とし、第3の修正係数cを0とし、第4の修正係数dを85とし、即ちToff=85℃とする。
【０１１３】
勿論、第1の修正係数、第2の修正係数、第3の修正係数及び第4の修正係数の値は、上記例示の値に限らず、当業者が、実際の操作中で柔軟に調整することができる。
【０１１４】
上記ステップS3では、「修正したオフ温度に基づいて乾燥モードを選択的にオフにする」というステップは、具体的に下記内容を含む。
【０１１５】
S31では、外槽の温度を検出する。
S32では、検出された外槽の温度と修正したオフ温度とを比較する。
S33では、外槽の温度が修正したオフ温度以上であるか否かを判定する。
S34では、「YES」の場合、一体型洗濯乾燥機が乾燥モードをオフにするように制御する。
S35では、「NO」の場合、一体型洗濯乾燥機が乾燥モードを維持するように制御する。
【０１１６】
具体的には、上記ステップS34では、外槽温度が修正したオフ温度以上である場合、外槽温度が比較的高く、乾燥モードをオフにする温度に達していることを示しており、一体型洗濯乾燥機が乾燥モードをオフにするように制御する。
【０１１７】
好ましくは、上記ステップS35では、外槽温度が修正したオフ温度未満である場合、外槽温度が比較的低く、乾燥モードをオフにする温度に達していなく、乾燥モードを引き続き運行できることを示しており、一体型洗濯乾燥機が乾燥モードを維持するように制御する。
【０１１８】
以下、図5を参照する。図5は本発明の実施例２に係る一つの実施例の制御方法のフローチャートである。
【０１１９】
図5に示すように、ある可能な実施形態では、本発明の一体型洗濯乾燥機の制御方法のフローは下記であってもよい。
【０１２０】
S1では、一体型洗濯乾燥機が乾燥モードとされる場合、環境温度並びに冷却水温度を検出する。
S21では、環境温度と10℃（第1のプリセット環境温度閾値）とを比較する。
S2211では、環境温度が10℃以下であるか否かを判定する。
S2212では、「YES」の場合、冷却水温度が10℃（第1のプリセット冷却水温度閾値）以下であるか否かを判定する。
S222では、冷却水温度T2が10℃以下である場合、乾燥モードのオフ温度Toff=70℃とする。
S2231では、「NO」の場合、冷却水温度が35℃（第2のプリセット冷却水温度閾値）以下であるか否かを判定する。
S2241では、冷却水温度が35℃以下である場合、乾燥モードのオフ温度Toff=0.2×T1+0.2×T2+66とする。
S2242では、冷却水温度が35℃を超える場合、乾燥モードのオフ温度Toff=0.1×T1+0.3×T2+66とする。
S31では、外槽の温度を検出する。
S32では、検出された外槽の温度と修正したオフ温度とを比較する。
S33では、外槽の温度が修正したオフ温度以上であるか否かを判定する。
S34では、「YES」の場合、一体型洗濯乾燥機が乾燥モードをオフにするように制御する。
S35では、「NO」の場合、一体型洗濯乾燥機が乾燥モードを維持するように制御する。
【０１２１】
上記実施例において、環境温度が10℃を超える場合に、図6に示すように以下のステップがある。
【０１２２】
S1では、一体型洗濯乾燥機が乾燥モードとされる場合、環境温度並びに冷却水温度を検出する。
S21では、環境温度と10℃（第1のプリセット環境温度閾値）とを比較する。
S2211では、環境温度が10℃以下であるか否かを判定する。
S2251では、「NO」の場合、環境温度が35℃（第2のプリセット環境温度閾値）以下であるか否かを判定する。
S2261では、「YES」の場合、冷却水温度が10℃以下であるか否かを判定する。
S2262では、冷却水温度が10℃以下である場合、乾燥モードのオフ温度Toff=0.3×T1+0.1×T2+66とする。
S2263では、「NO」の場合、冷却水温度が35℃（第2のプリセット冷却水温度閾値）以下であるか否かを判定する。
S2264では、冷却水温度が35℃以下である場合、乾燥モードのオフ温度Toff=0.3×T1+0.3×T2+63とする。
S2265では、冷却水温度が35℃を超える場合、乾燥モードのオフ温度Toff=0.4×T1+0.2×T2+66とする。
S31では、外槽の温度を検出する。
S32では、検出された外槽の温度と修正したオフ温度とを比較する。
S33では、外槽の温度が修正したオフ温度以上であるか否かを判定する。
S34では、「YES」の場合、一体型洗濯乾燥機が乾燥モードをオフにするように制御する。
S35では、「NO」の場合、一体型洗濯乾燥機が乾燥モードを維持するように制御する。
【０１２３】
上記実施例において、環境温度が35℃を超える場合に、図7に示すように以下のステップがある。
【０１２４】
S1では、一体型洗濯乾燥機が乾燥モードとされる場合、環境温度並びに冷却水温度を検出する。
S21では、環境温度と35℃（第2のプリセット環境温度閾値）とを比較する。
S2271では、環境温度が35℃を超えるか否かを判定する。
S2272では、「YES」の場合、冷却水温度が10℃以下であるか否かを判定する。
S2281では、冷却水温度T2が10℃以下である場合、乾燥モードのオフ温度Toff=0.3×T1+0.1×T2+66とする。
S2273は、「NO」の場合、冷却水温度が35℃（第2のプリセット冷却水温度閾値）以下であるか否かを判定する。
S2282では、冷却水温度が35℃以下である場合、乾燥モードのオフ温度Toff=0.4×T1+0.2×T2+64とする。
S230では、冷却水温度が35℃を超える場合、乾燥モードのオフ温度Toff=85℃とする。
S31では、外槽の温度を検出する。
S32では、検出された外槽の温度と修正したオフ温度とを比較する。
S33では、外槽の温度が修正したオフ温度以上であるか否かを判定する。
S34では、「YES」の場合、一体型洗濯乾燥機が乾燥モードをオフにするように制御する。
S35では、「NO」の場合、一体型洗濯乾燥機が乾燥モードを維持するように制御する。
【０１２５】
勿論、具体的な実施形態において、先に環境温度と35℃とを比較し、35℃との比較結果に基づいて、10℃との比較を行うか否かを決定してもよいが、その実施は上記例示に挙げられた実施形態とは類似しており、ここでの説明を省略する。また、実際の応用では、冷却水の温度を先に判定してから環境温度を判定してもよいし、冷却水温度と環境温度との判定を同時に行ってもよいし、このような判定順序及び手段の変更は、本発明の原理及び範囲から逸脱することなく、いずれも本発明の保護範囲内に限定されるべきである。
【０１２６】
なお、上述実施例は、本発明の好ましい実施形態の一つであり、本発明の保護範囲を限定するものではなく単に本発明の方法の原理を説明するためのものであり、実際の応用において、当業者が必要に応じて、上記機能を異なるステップに割り当て実現することができ、即ち、本発明の実施例におけるステップをさらに分解または組み合わせることができる。例えば、上述実施例のステップは、1つのステップに統合してもよいし、さらに複数のサブステップに分解して、以上説明した全部または一部の機能を実現してもよい。本発明の実施例に係るステップの名称は、各ステップを区別するためだけのものであり、本発明に対する制限とは見なされない。
【０１２７】
実施例３
背景技術において提出された課題に基づいて、本発明が一体型洗濯乾燥機用の制御方法を提供しており、その旨は、冷却水温度によって乾燥モードのオフ温度を修正することで、冷却水温度による乾燥モードのオフ温度への影響を低減し、乾燥モードのオフ温度を正確に判定することができ、乾燥モードをオフにする制御を正確に行い、衣類の乾燥はまだ出来ていないのに乾燥モードが既に早期に終了したことを回避でき、一体型洗濯乾燥機の乾燥効果を高めてユーザの使用体験も向上させる。
【０１２８】
図9乃至図11を参照すると、図9は、本発明の実施例３に係る制御方法のフローチャートであり、図10は、本発明の実施例三に係る一つの実施例の制御方法のフローチャートであり、図11は、本発明の実施例３に係る一体型洗濯乾燥機のブロック概略図である。図9に示すように、本発明の制御方法は、以下のステップを含む。
【０１２９】
S1では、一体型洗濯乾燥機が乾燥モードとされる場合、凝縮モジュールの冷却水温度を検出する。
S2では、冷却水温度に基づいて乾燥モードのオフ温度を修正する。
S3では、修正したオフ温度に基づいて乾燥モードを選択的にオフにする。
【０１３０】
好ましくは、冷却水温度は、プリセット時間閾値内で測定された冷却水の平均温度である。プリセット時間閾値は例えば1minであり、なお、プリセット時間閾値は、上記例示した時間に限定されず、プリセット時間閾値で冷却水温度を決定する要求を満たしているのであれば、当業者が実際の応用に応じてプリセット時間閾値を柔軟に調整できる。
【０１３１】
一方、本発明は、一体型洗濯乾燥機をさらに提供しており、図11に示すように、この一体型洗濯乾燥機は、ケーシングと、ケーシング内に設置された外槽と外槽内に回動可能に設置された内槽と、凝縮モジュールと、水温センサと、外槽温度センサと、温度修正モジュールと、制御モジュールとを含み、凝縮モジュールはケーシング内に設けられ、乾燥中で発生された高温高湿の蒸気を凝縮することに用いられるものであり、水温センサは一体型洗濯乾燥機の電磁弁内に設けられ、凝縮モジュールの冷却水温度を検出することに用いられるものであり、外槽温度センサは外槽に設置され、外槽の温度の検出に用いられるものであり、温度修正モジュールは、制御モジュールに設置され、水温センサにより検出された冷却水温度に基づいて一体型洗濯乾燥機に係る乾燥モードのオフ温度の修正に用いられるものであり、制御モジュールはケーシングに設けられ、修正したオフ温度に基づいて、検出された外槽の温度に応じて乾燥モードを選択的にオフにするものである。勿論、凝縮モジュール、水温センサ、外槽温度センサ、温度修正モジュール、及び制御モジュールの実際の取付位置は、上記例示した取付位置に限らず、当業者は、実際の応用で、凝縮モジュールと、水温センサと、外槽温度センサと、温度修正モジュールと、制御モジュールとの協働により、オフ温度を修正することが出来るのであれば、凝縮モジュール、水温センサ、外槽温度センサ、温度修正モジュール、制御モジュールの実際の取付位置を柔軟に設置することができる。
【０１３２】
好ましくは、水温センサと外槽温度センサは、冷却水温度と外槽温度を検出するために、赤外線温度センサであってもよく、他の種類のセンサ、例えば、RFセンサなどであってもよく、なお、冷却水温度と外槽温度の検出方法は本発明を制限すべきではない。
【０１３３】
好ましくは、温度修正モジュールは、コンピュータソフトウェアで設計され、プリセット温度閾値に基づいて、温度センサの温度データを修正し、修正された温度データを制御モジュールに提供する。
【０１３４】
好ましくは、制御モジュールは、温度センサによって検出された冷却水温度と外槽温度を識別でき、検出された冷却水温度に基づいて、乾燥モードのオフ温度を修正するように温度修正モジュールを制御するとともに検出された外槽温度に基づいて乾燥モードを選択的にオフにする。制御モジュールは、一体型洗濯乾燥機自体の制御モジュールであってもよいし、付加される制御モジュールや他の携帯端末であってもよいが、ここでは係る説明を省略する。
【０１３５】
上記ステップS2において、「冷却水温度に基づいて乾燥モードのオフ温度を修正する」というステップは、具体的には、下記内容を含む。
【０１３６】
S21では、冷却水温度とプリセット温度閾値とを比較する。
S22では、冷却水温度とプリセット温度閾値との比較結果に基づいてオフ温度を修正する。
【０１３７】
上記制御方法によれば、乾燥モードのオフ温度を正確に修正することができ、乾燥モードをオフにする制御を正確に行い、衣類の乾燥がまだ出来ていないのに乾燥モードが早期に終了することを回避でき、一体型洗濯乾燥機の乾燥効果を高めて、さらにユーザの使用体験を向上させる。
【０１３８】
さらに、上記ステップS22において、「冷却水温度とプリセット温度閾値との比較結果に基づいてオフ温度を修正する」というステップは、具体的に、以下の式に従ってオフ温度を修正することを含む。
【０１３９】
Toff=a×T1+b
そのうち、Toffはオフ温度、
T1は冷却水温度、
aは第1の修正係数、
bは第2の修正係数である。
【０１４０】
なお、第1の修正係数a及び第2の修正係数bの大きさは、冷却水温度T1の大きさに依存する。
【０１４１】
上記ステップにおいて、プリセット温度閾値は、第1のプリセット温度閾値と第2のプリセット温度閾値を含み、第1のプリセット温度閾値は、第2のプリセット温度閾値より小さい。
【０１４２】
好ましくは、上記ステップS22において、「冷却水温度とプリセット温度閾値との比較結果に基づいてオフ温度を修正する」というステップは、さらに下記内容を含む。
【０１４３】
S221では、冷却水温度T1が第1のプリセット温度閾値以下であるか否かを判定する。
S222では、冷却水温度T1が第1のプリセット温度閾値以下である場合、オフ温度Toffは変化しない。
S223では、冷却水温度T1が第1のプリセット温度閾値を超えるとともに第2のプリセット温度閾値以下であるか否かを判定する。
S224では、冷却水温度T1が第1のプリセット温度閾値を超えるとともに第2のプリセット温度閾値以下である場合、オフ温度Toffは冷却水温度T1に比例する。
S225では、冷却水温度T1が第2のプリセット温度閾値を超える場合、オフ温度Toffは変化しない。
【０１４４】
具体的には、上記ステップS222において、冷却水温度T1が第1のプリセット温度閾値以下である場合、冷却水温度が比較的低く、乾燥モードのオフ温度に影響せず、乾燥モードをオフにする必要があるか否かを正確に判定できることを示しており、オフ温度Toffをそのままにし、即ち、オフ温度Toffは、冷却水温度の変化によって変化しない。
【０１４５】
好ましくは、上記ステップS224において、冷却水温度T1が第1のプリセット温度閾値を超えるとともに第2のプリセット温度閾値以下である場合、冷却水温度が比較的高く、乾燥モードのオフ温度に影響を及ぼし、乾燥モードをオフにする必要があるかどうかを正確に判定することができないことを示しており、オフ温度Toffは冷却水温度T1に比例するように設置されて、冷却水温度の上昇に伴ってオフ温度Toffが上昇となり乾燥モードのオフ温度を向上させることで、衣類の乾燥がまだ出来ていないのに乾燥モードが早期に終了することを回避でき、一体型洗濯乾燥機の乾燥効果を高めて、さらにユーザの使用体験を向上させる。
【０１４６】
好ましくは、上記ステップS226において、冷却水温度T1が第2のプリセット温度閾値を超える場合、冷却水温度がかなり高く、乾燥モードのオフ温度に極めて大きく影響し、乾燥モードをオフにする必要があるかどうかを正確に判定することができないことを示しており、オフ温度Toffをそのままにし、即ち、オフ温度Toffが冷却水温度の変化によって変化しないことで、衣類の乾燥がまだ出来ていないのに乾燥モードが早期に終了することを回避でき、一体型洗濯乾燥機の乾燥効果を高めて、さらにユーザの使用体験を向上させる。
【０１４７】
上記の過程で、第1のプリセット温度閾値の設定により、一体型洗濯乾燥機は異なる場合に最適な修正モードを採用することができるように、オフ温度の修正をどのように行うかについての結論を更に出して、乾燥モードのオフ温度を正確に判定することができ、一体型洗濯乾燥機の乾燥効果を向上できる。なお、第1のプリセット温度閾値は、冷却水温度の最低温度であってもよいが、例えば、第1のプリセット温度閾値が10℃である場合、オフ温度の修正案が最適となり、一体型洗濯乾燥機の乾燥効果を高める。勿論、上述した第1のプリセット温度閾値は、冷却水温度の最低温度に限らず、他の温度、例えば、当業者が特定な動作状態での実験から求められた実験温度、あるいは経験的に得られた経験温度であってもよく、第1のプリセット温度閾値に決定された第1の修正係数と第2の修正係数とを選定する境界点が、オフ温度を修正する要求を満たすことができる限り、任意の温度に設定してもよい。
【０１４８】
更に、第2のプリセット温度閾値の設定により、一体型洗濯乾燥機は異なる場合に最適な修正モードを採用することができるように、オフ温度の修正をどのように行うかについての結論を更に出して、乾燥モードのオフ温度を正確に判定することができ、一体型洗濯乾燥機の乾燥効果を向上できる。なお、第2のプリセット温度閾値の設定は実際の状況に応じて柔軟に調整や設定可能で、第2のプリセット温度閾値は例えば35℃であり、第2のプリセット温度閾値に決定された第1の修正係数と第2の修正係数とを選定する境界点が、オフ温度を修正する要求を満たすことができる限り、任意の温度に設定してもよい。
【０１４９】
好ましくは、冷却水温度T1が10℃(第1のプリセット温度閾値)以下である場合、オフ温度Toffに対応する第1の修正係数aを0とし、第2の修正係数bを70とし、すなわちToff=70℃とする。
【０１５０】
好ましくは、冷却水温度T1が10℃を超えるとともに35℃(第2のプリセット温度閾値)以下である場合、オフ温度Toffに対応する第1の修正係数aを0.4とし、第2の修正係数bを66とし、すなわちToff=0.4×T1+66とする。
【０１５１】
好ましくは、冷却水温度T1が35℃を超える場合、オフ温度Toffに対応する第1の修正係数aを0とし、第2の修正係数bを80とし、すなわちToff=80℃とする。
【０１５２】
勿論、第1の修正係数の値及び第2の修正係数の値は、上記例示した値に限定されず、実際の操作中で下記要求を満たしていれば、当業者が柔軟に調整できる。冷却水温度T1が第1のプリセット温度閾値以下である場合に、オフ温度Toffは変化しない；冷却水温度T1が第1のプリセット温度閾値を超えるとともに第2のプリセット温度閾値以下である場合に、オフ温度Toffは冷却水温度T1に比例する；冷却水温度T1が第2のプリセット温度閾値を超える場合に、オフ温度Toffは変化しない。
【０１５３】
上記ステップS3では、「修正したオフ温度に基づいて乾燥モードを選択的にオフにする」というステップは、具体的に下記内容を含む。
【０１５４】
S31では、外槽の温度を検出する。
S32では、検出された外槽の温度と修正したオフ温度とを比較する。
S33では、外槽の温度が修正したオフ温度以上であるか否かを判定する。
S34では、「YES」の場合、一体型洗濯乾燥機が乾燥モードをオフにするように制御する。
S35では、「NO」の場合、一体型洗濯乾燥機が乾燥モードを維持するように制御する。
【０１５５】
具体的には、上記ステップS34では、外槽温度が修正したオフ温度以上である場合、外槽温度が比較的高く、乾燥モードをオフにする温度に達していることを示しており、一体型洗濯乾燥機が乾燥モードをオフにするように制御する。
【０１５６】
好ましくは、上記ステップS35では、外槽温度が修正したオフ温度未満である場合、外槽温度が比較的低く、乾燥モードをオフにする温度に達していなく、乾燥モードを引き続き運行できることを示しており、一体型洗濯乾燥機が乾燥モードを維持するように制御する。
【０１５７】
以下、図10を参照すると、図10は本発明の実施例３に係る一つの実施例の制御方法のフローチャートである。
【０１５８】
図10に示すように、ある可能な実施形態では、本発明の一体型洗濯乾燥機の制御方法の完全なるフローは下記であってもよい。
【０１５９】
S1では、一体型洗濯乾燥機が乾燥モードとされる場合、凝縮モジュールの冷却水温度を検出する。
S21では、冷却水温度と10℃（第1のプリセット温度閾値）とを比較する。
S221では、冷却水温度が10℃以下であるか否かを判定する。
S222では、「YES」の場合、乾燥モードのオフ温度Toff=70℃とする。
S223では、「NO」の場合、冷却水温度が35℃（第2のプリセット温度閾値）以下であるか否かを判定する。
S224では、「YES」の場合、乾燥モードのオフ温度Toff=0.4×T1+66とする。
S225では、「NO」の場合、乾燥モードのオフ温度Toff=80℃とする。
S31では、外槽の温度を検出する。
S32では、検出された外槽の温度と修正したオフ温度とを比較する。
S33では、外槽の温度が修正したオフ温度以上であるか否かを判定する。
S34では、「YES」の場合、一体型洗濯乾燥機が乾燥モードをオフにするように制御する。
S35では、「NO」の場合、一体型洗濯乾燥機が乾燥モードを維持するように制御する。
【０１６０】
勿論、具体的な実施形態において、先に冷却水温度と35℃とを比較し、35℃との比較結果に基づいて、10℃との比較を行うか否かを決定してもよいが、その実施は上記例示に挙げられた実施形態とは類似しており、ここでの説明を省略する。
【０１６１】
なお、上述実施例は、本発明の好ましい実施形態の一つであり、本発明の保護範囲を限定するものではなく単に本発明の方法の原理を説明するためのものであり、実際の応用において、当業者が必要に応じて、上記機能を異なるステップに割り当て実現することができ、即ち、本発明の実施例におけるステップをさらに分解または組み合わせることができる。例えば、上述実施例のステップは、1つのステップに統合してもよいし、さらに複数のサブステップに分解して、以上説明した全部または一部の機能を実現してもよい。本発明の実施例に係るステップの名称は、各ステップを区別するためだけのものであり、本発明に対する制限とは見なされない。
【０１６２】
これで、本発明の技術案を、図面に示された好ましい実施形態と合わせて説明したが、本発明の保護範囲がこれらの具体的な実施形態に限定されないことは、当業者には容易に理解される。本発明の原理から逸脱することなく、当業者は、関連する技術的特徴に対して同等の変更又は置換を行うことができ、これらの変更又は置換後の技術案はいずれも、本発明の保護範囲に含まれる。
【図１】
2021520913.tif 000003
【図２】
2021520913.tif 000004
【図３】
2021520913.tif 000005
【図４】
2021520913.tif 000006
【図５】
2021520913.tif 000007
【図６】
2021520913.tif 000008
【図７】
2021520913.tif 000009
【図８】
2021520913.tif 000010
【図９】
2021520913.tif 000011
【図１０】
2021520913.tif 000012
【図１１】
2021520913.tif 000013
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
衣類処理設備用の制御方法であって、前記制御方法は、
前記衣類処理設備が乾燥モードとされる場合、環境温度を検出するステップと、
前記環境温度に基づいて前記乾燥モードのオフ温度を修正するステップと、
修正したオフ温度に基づいて前記乾燥モードを選択的にオフにするステップとを含む、ことを特徴とする衣類処理設備用の制御方法。
【請求項２】
「前記環境温度に基づいて前記乾燥モードのオフ温度を修正する」というステップは、具体的に、
前記環境温度とプリセット温度閾値とを比較することと、
前記環境温度と前記プリセット温度閾値との比較結果に基づいて前記オフ温度を修正することを含む、ことを特徴とする請求項1に記載の制御方法。
【請求項３】
「前記環境温度と前記プリセット温度閾値との比較結果に基づいて前記オフ温度を修正する」というステップは、具体的には、
下記式に従って前記オフ温度を修正することを含み、
Toff=a×T1+b
そのうち、Toffは前記オフ温度、T1は前記環境温度、aは第1の修正係数、bは第2の修正係数であり、また、
前記第1の修正係数aと前記第2の修正係数bの大きさは、前記環境温度T1の大きさに依存する、ことを特徴とする請求項2に記載の制御方法。
【請求項４】
凝縮モジュールを含む衣類処理設備用の制御方法であって、前記制御方法は、
前記衣類処理設備が乾燥モードとされる場合、環境温度並びに前記凝縮モジュールの冷却水温度を検出するステップと、
前記環境温度並びに前記冷却水温度に基づいて前記乾燥モードのオフ温度を修正するステップと、
修正したオフ温度に基づいて前記乾燥モードを選択的にオフにするステップとを含む、ことを特徴とする衣類処理設備用の制御方法。
【請求項５】
「前記環境温度並びに前記冷却水温度に基づいて前記乾燥モードのオフ温度を修正する」というステップは、具体的に、
前記環境温度並びに前記冷却水温度とプリセット温度閾値とを比較することと、
前記環境温度並びに前記冷却水温度と前記プリセット温度閾値との比較結果に基づいて前記オフ温度を修正することを含む、ことを特徴とする請求項4に記載の制御方法。
【請求項６】
「前記環境温度並びに前記冷却水温度と前記プリセット温度閾値との比較結果に基づいて前記オフ温度を修正する」というステップは、具体的に、
下記式に従って前記オフ温度を修正することを含み、
Toff=a×T1+b×T2+c×T1×T2+d
そのうち、Toffは前記オフ温度、T1は前記環境温度、T2は前記冷却水温度、aは第1の修正係数、bは第2の修正係数、cは第3の修正係数、dは第4の修正係数であり、また、
前記第1の修正係数a、前記第2の修正係数b、前記第3の修正係数c及び前記第4の修正係数dの大きさは、前記環境温度T1と前記冷却水温度T2の大きさに依存する、ことを特徴とする請求項5に記載の制御方法。
【請求項７】
外槽と、内槽と、凝縮モジュールとを含む衣類処理設備であって、前記衣類処理設備は、
環境温度を検出するための環境温度センサと、
前記凝縮モジュールの冷却水温度を検出するための水温センサと、
前記外槽の温度を検出するための外槽温度センサと、
前記温度検出モジュールにより検出された環境温度及び/又は前記水温センサが検出された冷却水温度に基づいて、前記衣類処理設備の乾燥モードのオフ温度を修正するための温度修正モジュールと、
修正したオフ温度に基づいて、検出された前記外槽の温度に応じて前記乾燥モードを選択的にオフにする制御モジュールとを更に含む、ことを特徴とする衣類処理設備。
【請求項８】
凝縮モジュールを含む衣類処理設備用の制御方法であって、前記制御方法は、
前記衣類処理設備が乾燥モードとされる場合、前記凝縮モジュールの冷却水温度を検出するステップと、
前記冷却水温度に基づいて前記乾燥モードのオフ温度を修正するステップと、
修正したオフ温度に基づいて前記乾燥モードを選択的にオフにするステップとを含む、ことを特徴とする衣類処理設備用の制御方法。
【請求項９】
「前記冷却水温度に基づいて前記乾燥モードのオフ温度を修正する」というステップは、具体的に、
前記冷却水温度とプリセット温度閾値とを比較することと、
前記冷却水温度と前記プリセット温度閾値との比較結果に基づいて前記オフ温度を修正することを含む、ことを特徴とする請求項8に記載の制御方法。
【請求項１０】
「前記冷却水温度と前記プリセット温度閾値との比較結果に基づいて前記オフ温度を修正する」というステップは、具体的に、
下記式に従って前記オフ温度を修正することを含み、
Toff=a×T1+b
そのうち、Toffは前記オフ温度、T1は前記冷却水温度、aは第1の修正係数、bは第2の修正係数であり、また、
前記第1の修正係数aと前記第2の修正係数bの大きさは、前記冷却水温度T1の大きさに依存する、ことを特徴とする請求項9に記載の制御方法。
【国際調査報告】
2021520913.tif 000014
2021520913.tif 000015
2021520913.tif 000016
2021520913.tif 000017
2021520913.tif 000018
2021520913.tif 000019